(57)【要約】  本明細書で説明される実施形態は、無線通信ネットワークにアクセスするためのランダムアクセスプロシージャを実施するための方法および装置を提供する。無線デバイスにおける方法は、キャリアのアップリンク（ＵＬ）帯域幅部分（ＢＷＰ）中の第１のランダムアクセスリソースを使用して基地局に第１のランダムアクセスプリアンブルを送信したことに応答して、関連付けに基づいてキャリアの第１のダウンリンク（ＤＬ）ＢＷＰを選択することであって、関連付けが、物理ランダムアクセス設定に関係するパラメータの異なる値におよび／またはキャリアの異なるＵＬ  ＢＷＰにキャリアの複数のＤＬ  ＢＷＰをマッピングする、キャリアの第１のダウンリンク（ＤＬ）ＢＷＰを選択することと、基地局からランダムアクセス応答を受信するために第１のＤＬ  ＢＷＰを監視することとを含む。【選択図】図１５
2021514582.tif 000002
【特許請求の範囲】
【請求項１】
無線通信ネットワークにアクセスするためのランダムアクセスプロシージャを実施するための、無線デバイスによって実施される方法であって、前記方法は、
−  キャリアのアップリンク（ＵＬ）帯域幅部分（ＢＷＰ）中の第１のランダムアクセスリソースを使用して基地局に第１のランダムアクセスプリアンブルを送信したことに応答して、
ｉ．  関連付けに基づいて前記キャリアの第１のダウンリンク（ＤＬ）ＢＷＰを選択することであって、前記関連付けが、物理ランダムアクセス設定に関係するパラメータの異なる値に、かつ／または、前記キャリアの異なるＵＬ  ＢＷＰに、前記キャリアの複数のＤＬ  ＢＷＰをマッピングする、前記キャリアの第１のＤＬ  ＢＷＰを選択することと、
ｉｉ．  前記基地局からランダムアクセス応答を受信するために前記第１のＤＬ  ＢＷＰを監視することと
を含む、方法。
【請求項２】
前記パラメータが、物理ランダムアクセスチャネル設定のインデックスを含み、前記方法が、
前記ランダムアクセスプリアンブルを送信するために使用される第１の物理ランダムアクセスチャネル設定の第１のインデックスを決定することと、
前記関連付けにおいて前記第１のインデックスにマッピングされた１つまたは複数のＤＬ  ＢＷＰから前記第１のＤＬ  ＢＷＰを選択することと
をさらに含む、請求項１に記載の方法。
【請求項３】
前記パラメータが、ランダムアクセスプリアンブルのセットの指示を含み、前記方法が、
前記関連付けにおいて前記第１のランダムアクセスプリアンブルにマッピングされた１つまたは複数のＤＬ  ＢＷＰから前記第１のＤＬ  ＢＷＰを選択すること
をさらに含む、請求項１に記載の方法。
【請求項４】
前記パラメータが、ランダムアクセスリソースのセットの指示を含み、前記方法が、
前記関連付けにおいて前記第１のランダムアクセスリソースにマッピングされた１つまたは複数のＤＬ  ＢＷＰから前記第１のＤＬ  ＢＷＰを選択すること
をさらに含む、請求項１に記載の方法。
【請求項５】
所定の時間期間の間、前記第１のＤＬ  ＢＷＰを監視することと、
前記所定の時間期間が経過したことに応答して、データ受信のためにアクティブＤＬ  ＢＷＰを監視することに切り替えることと
をさらに含む、請求項１から４のいずれか一項に記載の方法。
【請求項６】
前記基地局からランダムアクセス応答を受信するために前記第１のＤＬ  ＢＷＰを監視し、同時にデータ受信のためにアクティブＤＬ  ＢＷＰを監視することをさらに含む、請求項１から４のいずれか一項に記載の方法。
【請求項７】
前記第１のＢＷＰと前記アクティブＤＬ  ＢＷＰとが同じである、請求項６に記載の方法。
【請求項８】
前記選択するステップは、
前記１つまたは複数のＤＬ  ＢＷＰが、前記無線デバイスがデータ受信のために監視するように設定されたアクティブＤＬ  ＢＷＰを含むことに応答して、前記アクティブＤＬ  ＢＷＰを前記第１のＤＬ  ＢＷＰとして選択すること
を含む、請求項１から７のいずれか一項に記載の方法。
【請求項９】
前記選択するステップが、
前記無線デバイスに関連付けられた帯域幅能力に基づいて前記第１のＤＬ  ＢＷＰを選択すること
を含む、請求項１から７のいずれか一項に記載の方法。
【請求項１０】
所定の時間期間の間、前記第１のＤＬ  ＢＷＰを監視することと、
前記所定の時間期間が経過したことに応答して、前記関連付けに基づいて第２のＤＬ  ＢＷＰを選択し、前記第２のＤＬ  ＢＷＰを監視することと
をさらに含む、請求項１から９のいずれか一項に記載の方法。
【請求項１１】
−  ユーザデータを提供することと、
−  前記基地局への前記送信を介してホストコンピュータに前記ユーザデータをフォワーディングすることと
をさらに含む、請求項１から１０のいずれか一項に記載の方法。
【請求項１２】
ランダムアクセスプロシージャを実施するための、基地局によって実施される方法であって、前記方法は、
第１のランダムアクセスリソース上で無線デバイスから第１のランダムアクセスプリアンブルを受信することと、
関連付けに基づいて１つまたは複数のＤＬ  ＢＷＰを選択することであって、前記関連付けが、物理ランダムアクセス設定に関係するパラメータの異なる値に、かつ／または、キャリアの異なるＵＬ  ＢＷＰに、前記キャリアの複数のＤＬ  ＢＷＰをマッピングする、１つまたは複数のＤＬ  ＢＷＰを選択することと、
前記１つまたは複数のＤＬ  ＢＷＰの各々中のリソースを使用してそれぞれのランダムアクセス応答メッセージを送信することと
を含む、方法。
【請求項１３】
前記パラメータが、物理ランダムアクセスチャネル設定のインデックスを含み、前記方法が、
前記ランダムアクセスプリアンブルを送信するために使用される第１の物理ランダムアクセスチャネル設定の第１のインデックスを決定することと、
前記関連付けにおいて前記第１のインデックスにマッピングされた１つまたは複数のＤＬ  ＢＷＰを選択することと
をさらに含む、請求項１２に記載の方法。
【請求項１４】
前記パラメータが、ランダムアクセスプリアンブルのセットの指示を含み、前記方法が、
前記関連付けにおいて前記第１のランダムアクセスプリアンブルにマッピングされた前記１つまたは複数のＤＬ  ＢＷＰを選択すること
をさらに含む、請求項１２に記載の方法。
【請求項１５】
前記パラメータが、ランダムアクセスリソースのセットの指示を含み、前記方法が、
前記関連付けにおいて前記第１のランダムアクセスリソースにマッピングされた前記１つまたは複数のＤＬ  ＢＷＰを選択すること
をさらに含む、請求項１２に記載の方法。
【請求項１６】
前記関連付けが、前記１つまたは複数のＤＬ  ＢＷＰをＵＬ  ＢＷＰにリンクし、前記選択するステップは、
ビームフォーミングベースの受信を使用して、前記無線デバイスが、前記ランダムアクセスプリアンブルを送信するときに使用した第１のＵＬ  ＢＷＰを決定することと、
前記関連付けが前記第１のＵＬ  ＢＷＰにリンクする前記１つまたは複数のＤＬ  ＢＷＰを選択することと
を含む、請求項１２に記載の方法。
【請求項１７】
各それぞれのランダムアクセス応答メッセージが、前記ランダムアクセスリソースを含む１つまたは複数のＵＬ  ＢＷＰの各々についてアップリンクリソースのそれぞれのセットを指示する、請求項１２から１４のいずれか一項に記載の方法。
【請求項１８】
各それぞれのランダムアクセス応答メッセージが、前記１つまたは複数のＵＬ  ＢＷＰのうちの１つについてアップリンクリソースのセットを各々指示する複数のランダムアクセス応答を含む、請求項１６に記載の方法。
【請求項１９】
無線通信ネットワークにアクセスするためのランダムアクセスプロシージャを実施するための無線デバイスであって、前記無線デバイスは、
−  キャリアのアップリンク（ＵＬ）帯域幅部分（ＢＷＰ）中の第１のランダムアクセスリソースを使用して基地局に第１のランダムアクセスプリアンブルを送信したことに応答して、
ｉ．  関連付けに基づいて前記キャリアの第１のダウンリンク（ＤＬ）ＢＷＰを選択することであって、前記関連付けが、物理ランダムアクセス設定に関係するパラメータの異なる値に、かつ／または、前記キャリアの異なるＵＬ  ＢＷＰに、前記キャリアの複数のＤＬ  ＢＷＰをマッピングする、前記キャリアの第１ＤＬ  ＢＷＰを選択することと、
ｉｉ．  前記基地局からランダムアクセス応答を受信するために前記第１のＤＬ  ＢＷＰを監視することと
を行うように設定された処理回路要素を備える、無線デバイス。
【請求項２０】
前記パラメータが、物理ランダムアクセスチャネル設定のインデックスを含み、前記処理回路要素が、
前記ランダムアクセスプリアンブルを送信するために使用される第１の物理ランダムアクセスチャネル設定の第１のインデックスを決定することと、
前記関連付けにおいて前記第１のインデックスにマッピングされた１つまたは複数のＤＬ  ＢＷＰから前記第１のＤＬ  ＢＷＰを選択することと
を行うようにさらに設定された、請求項１９に記載の無線デバイス。
【請求項２１】
前記パラメータが、ランダムアクセスプリアンブルのセットの指示を含み、前記処理回路要素が、
前記関連付けにおいて前記第１のランダムアクセスプリアンブルにマッピングされた１つまたは複数のＤＬ  ＢＷＰから前記第１のＤＬ  ＢＷＰを選択すること
を行うようにさらに設定された、請求項１９に記載の無線デバイス。
【請求項２２】
前記パラメータが、ランダムアクセスリソースのセットの指示を含み、前記処理回路要素が、
前記関連付けにおいて前記第１のランダムアクセスリソースにマッピングされた１つまたは複数のＤＬ  ＢＷＰから前記第１のＤＬ  ＢＷＰを選択すること
を行うようにさらに設定された、請求項１９に記載の無線デバイス。
【請求項２３】
前記処理回路要素は、
所定の時間期間の間、前記第１のＤＬ  ＢＷＰを監視することと、
前記所定の時間期間が経過したことに応答して、データ受信のためにアクティブＤＬ  ＢＷＰを監視することに切り替えることと
を行うようにさらに設定された、請求項１９から２２のいずれか一項に記載の無線デバイス。
【請求項２４】
前記処理回路要素が、前記基地局からランダムアクセス応答を受信するために前記第１のＤＬ  ＢＷＰを監視し、同時にデータ受信のためにアクティブＤＬ  ＢＷＰを監視することを行うようにさらに設定された、請求項１９から２１のいずれか一項に記載の無線デバイス。
【請求項２５】
前記第１のＢＷＰと前記アクティブＤＬ  ＢＷＰとが同じである、請求項２４に記載の無線デバイス。
【請求項２６】
処理回路要素は、
前記１つまたは複数のＤＬ  ＢＷＰが、前記無線デバイスがデータ受信のために監視するように設定されたアクティブＤＬ  ＢＷＰを含むことに応答して、前記アクティブＤＬ  ＢＷＰを前記第１のＤＬ  ＢＷＰとして選択すること
によって前記選択するステップを実施するように設定された、請求項１９から２５のいずれか一項に記載の無線デバイス。
【請求項２７】
前記処理回路要素が、
前記無線デバイスに関連付けられた帯域幅能力に基づいて前記第１のＤＬ  ＢＷＰを選択すること
によって前記選択するステップを実施するように設定された、請求項１９から２５のいずれか一項に記載の無線デバイス。
【請求項２８】
前記処理回路要素は、
所定の時間期間の間、前記第１のＤＬ  ＢＷＰを監視することと、
前記所定の時間期間が経過したことに応答して、前記関連付けに基づいて第２のＤＬ  ＢＷＰを選択し、前記第２のＤＬ  ＢＷＰを監視することと
を行うようにさらに設定された、請求項１９から２７のいずれか一項に記載の無線デバイス。
【請求項２９】
ランダムアクセスプロシージャを実施するための基地局であって、前記基地局は、
第１のランダムアクセスリソース上で無線デバイスから第１のランダムアクセスプリアンブルを受信することと、
関連付けに基づいて１つまたは複数のＤＬ  ＢＷＰを選択することであって、前記関連付けが、物理ランダムアクセス設定に関係するパラメータの異なる値にかつ／またはキャリアの異なるＵＬ  ＢＷＰに前記キャリアの複数のＤＬ  ＢＷＰをマッピングする、１つまたは複数のＤＬ  ＢＷＰを選択することと、
前記１つまたは複数のＤＬ  ＢＷＰの各々中のリソースを使用してそれぞれのランダムアクセス応答メッセージを送信することと
を行うように設定された処理回路要素を備える、基地局。
【請求項３０】
前記パラメータが、物理ランダムアクセスチャネル設定のインデックスを含み、前記処理回路要素が、
前記ランダムアクセスプリアンブルを送信するために使用される第１の物理ランダムアクセスチャネル設定の第１のインデックスを決定することと、
前記関連付けにおいて前記第１のインデックスにマッピングされた１つまたは複数のＤＬ  ＢＷＰを選択することと
を行うようにさらに設定された、請求項２９に記載の基地局。
【請求項３１】
前記パラメータが、ランダムアクセスプリアンブルのセットの指示を含み、前記処理回路要素が、
前記関連付けにおいて前記第１のランダムアクセスプリアンブルにマッピングされた前記１つまたは複数のＤＬ  ＢＷＰを選択すること
を行うようにさらに設定された、請求項２９に記載の基地局。
【請求項３２】
前記パラメータが、ランダムアクセスリソースのセットの指示を含み、前記処理回路要素が、
前記関連付けにおいて前記第１のランダムアクセスリソースにマッピングされた前記１つまたは複数のＤＬ  ＢＷＰを選択すること
を行うようにさらに設定された、請求項２９に記載の基地局。
【請求項３３】
前記関連付けが、前記１つまたは複数のＤＬ  ＢＷＰをＵＬ  ＢＷＰにリンクし、処理回路要素は、
ビームフォーミングベースの受信を使用して、前記無線デバイスが、前記ランダムアクセスプリアンブルを送信するときに使用した第１のＵＬ  ＢＷＰを決定することと、
前記関連付けが前記第１のＵＬ  ＢＷＰにリンクする前記１つまたは複数のＤＬ  ＢＷＰを選択することと
を行うことによって前記選択するステップを実施するように設定された、請求項２９に記載の基地局。
【請求項３４】
各それぞれのランダムアクセス応答メッセージが、前記ランダムアクセスリソースを含む１つまたは複数のＵＬ  ＢＷＰの各々についてアップリンクリソースのそれぞれのセットを指示する、請求項２９から３１のいずれか一項に記載の基地局。
【請求項３５】
各それぞれのランダムアクセス応答メッセージが、前記１つまたは複数のＵＬ  ＢＷＰのうちの１つについてアップリンクリソースのセットを各々指示する複数のランダムアクセス応答を含む、請求項３３に記載の基地局。
【発明の詳細な説明】
【技術分野】
【０００１】
序論
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになろう。
【０００２】
発展的５Ｇ規格ＮＲ（新無線（Ｎｅｗ  Ｒａｄｉｏ））は、１ＧＨｚ未満から１００ＧＨｚまでの広範囲の周波数において動作することを目的としている。そのような周波数範囲では、ＮＲにおけるランダムアクセスプロシージャが、高周波数キャリアにおける潜在的伝搬損失を緩和するために改善され得る。
【０００３】
ＮＲについて、帯域幅部分（ＢＷＰ）の使用に関する３ＧＰＰ規格化における進行中の議論がある。ＢＷＰは、キャリア内の隣接物理リソース（ｃｏｎｔｉｇｕｏｕｓ  ｐｈｙｓｉｃａｌ  ｒｅｓｏｕｒｃｅ）のサブセットである。ＢＷＰを使用する理由は、いくつかの無線デバイス、たとえば狭帯域モノのインターネット（ＮＢ−ＩｏＴ）デバイスが、帯域幅全体を使用することが可能でないことがあることである。そのようなデバイスは、それらのデバイスがハンドリングすることが可能である、帯域幅のより小さいセクション、すなわち、ＢＷＰを割り振られ得る。ＢＷＰを使用する別の理由は、バッテリー節約を提供するためであり得る。無線は、受信および送信のために必要とされるエネルギーを低減するために、ＢＷ全体ではなくＢＷＰを割り振られ得る。ＢＷＰを使用するまた別の理由は、無線デバイスが、ビットレート要件を満たすのにＢＷ全体を必要としないときの負荷分散のためであり得る。
【０００４】
これまで、各無線デバイスは、少なくとも（すべての無線デバイスについて同じであり得、すべての無線デバイスがハンドリングするのに十分に狭くなり得る）初期ＢＷＰとデフォルトＢＷＰとを割り振られ得ることが同意されている。デフォルトＢＷＰは、初期ＢＷＰと同じであり得るが、異なることもある（すなわち、異なる無線デバイスが、一般に、異なるデフォルトＢＷＰを有することになる）。初期ＢＷＰおよびデフォルトＢＷＰに加えて、各無線デバイスには、異なる状況において使用され得る追加のＢＷＰが設定され得る。いくつかの例では、無線デバイスは、最高４つの異なるＤＬ  ＢＷＰおよび４つの異なるＵＬ  ＢＷＰを使用するように設定され得る。いくつかの例では、任意の時点において、特定の無線デバイスのために、１つのＢＷＰのみがアクティブである。
【０００５】
無線デバイスには、無線リソース制御（ＲＲＣ）シグナリングの受信によって、異なるＢＷＰが設定され得る。いくつかの例では、異なるＢＷＰは、最小システム情報（ＳＩ）において設定され得る。初期ＢＷＰは、無線デバイスにおいてあらかじめ設定され得る。ＢＷＰ間での切替えは、物理ダウンリンク制御チャネル（ＰＤＣＣＨ）上のダウンリンク制御情報（ＤＣＩ）によって制御され得る。無線デバイスは、タイマー、たとえばｂｗｐ−ＩｎａｃｔｉｖｉｔｙＴｉｍｅｒが満了したとき、デフォルトＢＷＰに切り替えるように設定される可能性もある。
【０００６】
設定されたアップリンク（ＵＬ）ＢＷＰは、ランダムアクセスリソース、すなわち、物理ランダムアクセスチャネル（ＰＲＡＣＨ）リソースを含み得、これは、ランダムアクセス要求を送信するために使用され得る。しかしながら、ランダムアクセスリソースを含まないＵＬ  ＢＷＰもあり得、その場合、無線デバイスは、ランダムアクセスプロシージャを実施するために、ランダムアクセスリソースを含む別のＵＬ  ＢＷＰに切り替え得る。また、物理アップリンク制御チャネル（ＰＵＣＣＨ）について、ＢＷＰは、ＰＵＣＣＨリソースが設定されることも設定されないこともある。ＰＵＣＣＨが設定されない理由は、ＰＵＣＣＨリソースがＢＷＰ内のリソースを占有することであり、これは、（特に、設定された、ただしアクティブでないＢＷＰにおいて）過剰オーバーヘッドにつながり得る。
【０００７】
図１は、ランダムアクセスプロシージャの一例を示す。
【０００８】
現在、（１つまたは複数の）ある課題が存在する。図１は、ランダムアクセスプロシージャの一例を示す。ステップ１００において、無線デバイスは、複数のＰＲＡＣＨ無競合（ｃｏｎｔｅｎｔｉｏｎ−ｆｒｅｅ）シグネチャのうちの１つを選択し、ランダムアクセスプリアンブル、たとえばＭｓｇ１を送信する。いくつかの例では、無線デバイスがそこからランダムに選択し得る、６４個の無競合シグネチャがあり得る。
【０００９】
ステップ１０１において、基地局は、物理ダウンリンク共有チャネル（ＰＤＳＣＨ）上でランダムアクセス応答（ＲＡＲ）、たとえばＭｓｇ２を送信する。ＲＡＲは、ＩＤ、すなわち、ランダムアクセス無線ネットワーク一時識別子（ＲＡ−ＲＮＴＩ）でアドレッシングされ得、ランダムアクセスプリアンブルが検出された時間周波数スロットを識別し得る。複数の無線デバイスが、同じプリアンブル時間周波数リソース中の同じシグネチャを選択することによって衝突した場合、それらの無線デバイスは、両方とも同じＲＡＲを受信することになる。
【００１０】
ステップ１０２において、レイヤ２／レイヤ３（Ｌ２／Ｌ３）メッセージ、たとえばＭｓｇ３が、無線デバイスから基地局に送信される。このメッセージは、ＰＵＳＣＨ上の最初のスケジュールされたアップリンク送信であり、ハイブリッド自動再送要求（ＨＡＲＱ）を利用する。Ｍｓｇ３はまた、無線デバイス識別子を伝達し得る。Ｍｓｇ３は、実際のランダムアクセスプロシージャメッセージをも伝達し得る。
【００１１】
ステップ１０３において、基地局は、競合解消メッセージ、たとえばＭｓｇ４を送信する。無線デバイスがそのメッセージを正しく復号し、その無線デバイス自体の識別情報を検出した場合、無線デバイスは肯定応答ＡＣＫを返送する。一方、無線デバイスがそのメッセージを正しく復号し、そのメッセージが別の無線デバイス識別情報を含んでいることを発見した場合（競合解消）、無線デバイスは何も返送しない（間欠送信）。
【００１２】
図２は、ネットワーク観点からのＤＬ／ＵＬ  ＢＷＰを示す。
【００１３】
異なる無線デバイスのためのいくつかのＵＬ  ＢＷＰがあり、それらのＵＬ  ＢＷＰが互いと重複する問題点が、図２に示されている。無線アクセスリソースが重複領域内に設定される。たとえば、無線アクセスリソースは、物理リソースブロックＰＲＢ３中に設定され得る。ＵＬ  ＢＷＰ１は、物理リソースブロックＰＲＢ１、ＰＲＢ２およびＰＲＢ３を含み得、ＵＬ  ＢＷＰ２は、物理リソースブロックＰＲＢ２、ＰＲＢ３およびＰＲＢ４を含み得、ＵＬ  ＢＷＰ３は、物理リソースブロックＰＲＢ２およびＰＲＢ３を含み得る。
【００１４】
この例では、無線デバイスＡが、ＵＬ  ＢＷＰ１を使用するように設定され、無線デバイスＢが、ＵＬ  ＢＷＰ２を使用するように設定され、無線デバイスＣが、ＵＬ  ＢＷＰ３を使用するように設定される。
【００１５】
この例では、示されているＵＬ  ＢＷＰのすべてが、ランダムアクセスリソースを含む物理リソースブロックＰＲＢ３を含む。しかしながら、いくつかの実施形態では、無線デバイスのうちのいくつかには、ランダムアクセスリソースを含まないＵＬ  ＢＷＰが設定され得ることが諒解されよう。ただし、ランダムアクセスプロシージャを始動するときに、無線デバイスは、ランダムアクセスリソースを含むＵＬ  ＢＷＰに切り替え得る。
【００１６】
ダウンリンクでは、無線デバイスＡは、物理リソースブロックＰＲＢ５を含むＤＬ  ＢＷＰ１を無線デバイスＡのアクティブＤＬ  ＢＷＰとして使用していることがあり、無線デバイスＢは、物理リソースブロックＰＲＢ５およびＰＲＢ６を含むＤＬ  ＢＷＰ２を無線デバイスＢのアクティブＤＬ  ＢＷＰとして使用していることがあり、無線デバイスＣは、物理リソースブロックＰＲＢ５、ＰＲＢ６およびＰＲＢ７を含むＤＬ  ＢＷＰ３を無線デバイスＣのアクティブＤＬ  ＢＷＰとして使用していることがある。
【００１７】
この場合、無線デバイス（たとえば無線デバイスＡ、ＢまたはＣのうちの１つ）が、その無線デバイスのアクティブＵＬ  ＢＷＰ上でランダムアクセスプリアンブルを送ったとき、受信基地局は、どの無線デバイス、たとえば無線デバイスＡ、ＢまたはＣのうちのどれがランダムアクセスプリアンブルを送信したかに気づいていないことがあり、したがって、どのＤＬ  ＢＷＰ中で受信基地局がランダムアクセス応答を送るべきであるかを知らず、また、どのＵＬ  ＢＷＰ中で、無線デバイスがＭｓｇ３を送信するためのアップリンクリソースが割り当てられるべきであるかも知らないことがある。
【００１８】
この場合、基地局は、ランダムアクセスプリアンブルを送ることができたであろうすべての無線デバイスが、Ｍｓｇ３を送信することが可能であるために、ランダムアクセスリソースを含むすべてのＵＬ  ＢＷＰ中で、すなわち、ＵＬ  ＢＷＰ１、ＵＬ  ＢＷＰ２およびＵＬ  ＢＷＰ３の各々中で、アップリンクリソースの複数のＵＬグラントを提供する必要があり得る。ランダムアクセス応答（ＲＡＲ）メッセージもすべてのＤＬ  ＢＷＰ上で送信される必要があり得、その結果、ランダムアクセスプリアンブルを送ることができたであろうすべての無線デバイスが、ＲＡＲを受信することが可能であることになる。しかしながら、このソリューションは、リソース利用とレイテンシの両方に関して効率的でない。
【００１９】
本開示のいくつかの態様およびそれらの実施形態は、これらまたは他の課題のソリューションを提供し得る。本明細書で開示される実施形態は、ランダムアクセスプリアンブルを送信するための同じランダムアクセスリソースを共有する複数の無線デバイスがあり、これらのＵＥが、異なるＵＬ  ＢＷＰまたは／およびＤＬ  ＢＷＰに属し得る、上述の問題点に対処する。この場合、ＤＬ  ＢＷＰとＰＲＡＣＨ設定との間の関連付けを規定するための方法を提案する。この方法では、基地局は単に、プリアンブルを送信するために使用された物理ランダムアクセス設定、または、無線デバイスが、ランダムアクセスプリアンブルを送信するために使用したＵＬ  ＢＷＰのいずれかに関連付けられた、１つまたは複数の設定されたＤＬ  ＢＷＰ上でランダムアクセス応答を送信し得る。
【発明の概要】
【００２０】
本明細書で開示される問題点のうちの１つまたは複数に対処する様々な実施形態が、本明細書で提案される。
【００２１】
いくつかの実施形態によれば、無線通信ネットワークにアクセスするためのランダムアクセスプロシージャを実施するための、無線デバイスによって実施される方法が提供される。本方法は、キャリアのアップリンク（ＵＬ）帯域幅部分（ＢＷＰ）中の第１のランダムアクセスリソースを使用して基地局に第１のランダムアクセスプリアンブルを送信したことに応答して、関連付けに基づいてキャリアの第１のダウンリンク（ＤＬ）ＢＷＰを選択することを含む。関連付けは、物理ランダムアクセス設定に関係するパラメータの異なる値におよび／またはキャリアの異なるＵＬ  ＢＷＰにキャリアの複数のＤＬ  ＢＷＰをマッピングする。本方法は、基地局からランダムアクセス応答を受信するために第１のＤＬ  ＢＷＰを監視することをさらに含む。
【００２２】
いくつかの実施形態によれば、ランダムアクセスプロシージャを実施するための、基地局によって実施される方法が提供される。本方法は、第１のランダムアクセスリソース上で無線デバイスから第１のランダムアクセスプリアンブルを受信することと、関連付けに基づいて１つまたは複数のＤＬ  ＢＷＰを選択することとを含む。関連付けは、物理ランダムアクセス設定に関係するパラメータの異なる値におよび／またはキャリアの異なるＵＬ  ＢＷＰにキャリアの複数のＤＬ  ＢＷＰをマッピングする。本方法は、１つまたは複数のＤＬ  ＢＷＰの各々中のリソースを使用してそれぞれのランダムアクセス応答メッセージを送信することをさらに含む。
【００２３】
いくつかの実施形態は、（１つまたは複数の）以下の技術的利点のうちの１つまたは複数を提供し得る。特に、本明細書で開示される実施形態は、異なるアクティブＤＬ  ＢＷＰを用いる無線デバイスが同じＰＲＡＣＨリソースを共有する場合に必要とされるＲＡＲ送信の数を低減することによって、および異なるアクティブＵＬ  ＢＷＰを用いるいくつかの無線デバイスが同じＰＲＡＣＨリソースを共有する場合に、Ｍｓｇ３のためのグラントされたアップリンクリソースの数を低減することによって、ＵＬとＤＬの両方において、ランダムアクセスプロシージャを実施するために必要とされるリソースを低減する。
【図面の簡単な説明】
【００２４】
【図１】例示的なランダムアクセスプロシージャを示す図である。
【図２】ネットワーク観点からのＤＬ／ＵＬ  ＢＷＰを示す図である。
【図３】異なる物理ランダムアクセス設定インデックスに複数のＤＬ  ＢＷＰをマッピングする関連付けの一例を示す図である。
【図４】プリアンブルまたはリソースの異なるセットに複数のＤＬ  ＢＷＰをマッピングする関連付けの一例を示す図である。
【図５】ＵＬ  ＢＷＰの異なるセットに複数のＤＬ  ＢＷＰをマッピングする関連付けの一例を示す図である。
【図６】いくつかの実施形態による無線ネットワークを示す図である。
【図７】いくつかの実施形態によるユーザ機器を示す図である。
【図８】いくつかの実施形態による仮想化環境を示す図である。
【図９】いくつかの実施形態による、中間ネットワークを介してホストコンピュータに接続された通信ネットワークを示す図である。
【図１０】いくつかの実施形態による、部分的無線接続上で基地局を介してユーザ機器と通信するホストコンピュータを示す図である。
【図１１】いくつかの実施形態による、ホストコンピュータと、基地局と、ユーザ機器とを含む通信システムにおいて実装される方法を示す図である。
【図１２】いくつかの実施形態による、ホストコンピュータと、基地局と、ユーザ機器とを含む通信システムにおいて実装される方法を示す図である。
【図１３】いくつかの実施形態による、ホストコンピュータと、基地局と、ユーザ機器とを含む通信システムにおいて実装される方法を示す図である。
【図１４】いくつかの実施形態による、ホストコンピュータと、基地局と、ユーザ機器とを含む通信システムにおいて実装される方法を示す図である。
【図１５】いくつかの実施形態による方法を示す図である。
【図１６】いくつかの実施形態による方法を示す図である。
【図１７】いくつかの実施形態による仮想化装置を示す図である。
【図１８】いくつかの実施形態による仮想化装置を示す図である。
【発明を実施するための形態】
【００２５】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００２６】
本発明の詳細について説明するために以下で説明される、複数の実施形態がある。
【００２７】
たとえば、無線デバイスが、無線通信ネットワークにアクセスするためのランダムアクセスプロシージャを実施し得る。これを行うために、図１を参照しながら上記で説明されたように、無線デバイスは、基地局にランダムアクセスプリアンブル、たとえばＭｓｇ１を送り得る。前に説明されたように、無線デバイスがＵＬ  ＢＷＰを使用するように設定された場合、無線デバイスは、ランダムアクセスプリアンブルを送信するためにアクティブＵＬ  ＢＷＰ内のランダムアクセスリソースを使用するか、または、現在のアクティブＵＬ  ＢＷＰがランダムアクセスリソースを含まない場合、ランダムアクセスプリアンブルを送信するために、ランダムアクセスリソースを含む異なるＵＬ  ＢＷＰに切り替えるかのいずれかであり得る。
【００２８】
キャリアのアップリンク（ＵＬ）帯域幅部分（ＢＷＰ）中の第１のランダムアクセスリソースを使用して基地局に第１のランダムアクセスプリアンブルを送信したことに応答して、無線デバイスは、次いで、関連付けに基づいてキャリアの第１のダウンリンク（ＤＬ）ＢＷＰを選択し得る。無線デバイスは、次いで、基地局からランダムアクセス応答を受信するために、たとえば図１に関して説明されたようなＭｓｇ２を受信するために、第１のＤＬ  ＢＷＰを監視する。
【００２９】
関連付けは、物理ランダムアクセス設定に関係するパラメータの異なる値におよび／またはキャリアの異なるＵＬ  ＢＷＰにキャリアの複数のＤＬ  ＢＷＰをマッピングする、所定のまたはあらかじめ設定された関連付けであり得る。
【００３０】
図３は、異なる物理ランダムアクセス設定インデックスに複数のＤＬ  ＢＷＰをマッピングする関連付けの一例を示す。
【００３１】
この例では、ＤＬ  ＢＷＰ１は、インデックス０〜１０をもつまたはインデックス１１〜１４をもつ物理的ランダムアクセス設定にマッピングされる。ＤＬ  ＢＷＰ２は、インデックス１１〜１４または２４〜６３をもつＰＲＡＣＨ設定にマッピングされる。ＤＬ  ＢＷＰ３は、インデックス１５〜２３または２４〜６３をもつＰＲＡＣＨ設定にマッピングされる。図３は、関連付けの一例であり、任意の好適なマッピングが使用され得ることが諒解されよう。
【００３２】
この例では、パラメータは、物理ランダムアクセスチャネル設定のインデックスを含む。無線デバイスは、したがって、ランダムアクセスプリアンブルを送信するために使用される第１の物理ランダムアクセスチャネル設定の第１のインデックスを決定し得、関連付けにおいて第１のインデックスにマッピングされた１つまたは複数のＤＬ  ＢＷＰから第１のＤＬ  ＢＷＰを選択し得る。言い換えれば、たとえば、第１のインデックスが１２である場合、無線デバイスは、ＤＬ  ＢＷＰ１およびＤＬ  ＢＷＰ２から第１のＤＬ  ＢＷＰを選択し得る。代替的に、第１のインデックスが２１である場合、無線デバイスは、ＤＬ  ＢＷＰ３が、２１のＰＲＡＣＨ設定インデックスについての関連付けにおいて利用可能な唯一のＤＬ  ＢＷＰであるので、これを第１のＤＬ  ＢＷＰとして選択し得る。
【００３３】
いくつかの例では、たとえば、ＲＲＣ仕様中のＲＡＣＨ−ＣｏｎｆｉｇＣｏｍｍｏｎおよびＲＡＣＨ−ＣｏｎｆｉｇＤｅｄｉｃａｔｅｄを使用して、ＤＬ  ＢＷＰのインデックスがＰＲＡＣＨ設定構造に追加される。各インデックスは、特定のＰＲＡＣＨ設定が使用されるときの、ＲＡＲが送信されるＤＬ  ＢＷＰを指示し得る。
【００３４】
いくつかの例では、プリアンブルのセットがインデックスに関連付けられ得、またはリソースのセットがインデックスに関連付けられ得る。このインデックスは、次いで、ＤＬ  ＢＷＰにマッピングされ得る。
【００３５】
図４は、プリアンブルまたはリソースの異なるセットに複数のＤＬ  ＢＷＰをマッピングする関連付けの一例を示す。
【００３６】
この例では、ＤＬ  ＢＷＰ１は、インデックス０をもつまたはインデックス１をもつプリアンブルまたはリソースにマッピングされる。ＤＬ  ＢＷＰ２は、インデックス１をもつまたはインデックス３をもつプリアンブルまたはリソースにマッピングされる。ＤＬ  ＢＷＰ３は、インデックス２をもつまたはインデックス３をもつプリアンブルまたはリソースにマッピングされる。図４は、関連付けの一例であり、任意の好適なマッピングが使用され得ることが諒解されよう。
【００３７】
いくつかの例では、パラメータは、ランダムアクセスリソースのセットの指示を含む。無線デバイスは、したがって、関連付けにおいて第１のランダムアクセスリソースにマッピングされた１つまたは複数のＤＬ  ＢＷＰから第１のＤＬ  ＢＷＰを選択し得る。図２の例では、ランダムアクセスリソースはＰＲＢ３中にある。たとえば、ＰＲＢ３が、インデックス３に関連付けられたリソースのセット中にある場合、無線デバイスは、ＤＬ  ＢＷＰ２およびＤＬ  ＢＷＰ３から第１のＤＬ  ＢＷＰを選択し得る。代替的に、ＰＲＢ３が、インデックス０に関連付けられたリソースのセット中にある場合、無線デバイスは、ＤＬ  ＢＷＰ１を第１のＤＬ  ＢＷＰとして選択し得る。
【００３８】
いくつかの例では、パラメータは、ランダムアクセスプリアンブルのセットの指示を含む。無線デバイスは、したがって、関連付けにおいて第１のランダムアクセスプリアンブルにマッピングされた１つまたは複数のＤＬ  ＢＷＰから第１のＤＬ  ＢＷＰを選択し得る。たとえば、使用される第１のランダムアクセスプリアンブルが、インデックス３に関連付けられたプリアンブルのセット中にある場合、無線デバイスは、ＤＬ  ＢＷＰ２およびＤＬ  ＢＷＰ３から第１のＤＬ  ＢＷＰを選択し得る。代替的に、第１のランダムアクセスプリアンブルが、インデックス０に関連付けられたリソースのセット中にある場合、無線デバイスは、ＤＬ  ＢＷＰ１を第１のＤＬ  ＢＷＰとして選択し得る。
【００３９】
いくつかの例では、リソースのセットまたはプリアンブルのセットに関連付けられたこのインデックスは、プリアンブルのセットまたはＰＲＡＣＨリソースのセットに関連付けられた新しいインデックスであり得る。各ダウンリンクＢＷＰ設定構造では、ＰＲＡＣＨ設定が、関連付けられたダウンリンクＢＷＰ中で有効にされるのか無効にされるのかを指示するためのインジケータが追加され得る。
【００４０】
図５は、ＵＬ  ＢＷＰの異なるセットに複数のＤＬ  ＢＷＰをマッピングする関連付けの一例を示す。
【００４１】
いくつかの実施形態では、図５に示されているように、関連付けは、複数のＵＬ  ＢＷＰの各々に１つまたは複数のＤＬ  ＢＷＰをマッピングする。ＰＲＡＣＨリソースが利用可能である各ＵＬ  ＢＷＰは、１つまたは複数のＤＬ  ＢＷＰにリンクされる。
【００４２】
この例では、ＤＬ  ＢＷＰ１は、ＵＬ  ＢＷＰ１およびＵＬ  ＢＷＰ２にマッピングされる。ＤＬ  ＢＷＰ２はＵＬ  ＢＷＰ２にマッピングされる。ＤＬ  ＢＷＰ３はＵＬ  ＢＷＰ３にマッピングされる。図５は、関連付けの一例であり、任意の好適なマッピングが使用され得ることが諒解されよう。
【００４３】
この例では、無線デバイスは、したがって、ランダムアクセスプリアンブルを送信するために使用されるＵＬ  ＢＷＰにマッピングされた１つまたは複数のＤＬ  ＢＷＰから第１のＤＬ  ＢＷＰを選択し得る。たとえば、無線デバイスがＵＬ  ＢＷＰ２を使用している場合、無線デバイスは、ＤＬ  ＢＷＰ１およびＤＬ  ＢＷＰ２から第１のＤＬ  ＢＷＰを選択し得る。代替的に、無線デバイスがＵＬ  ＢＷＰ３を使用しており、無線デバイスは、ＤＬ  ＢＷＰ３を第１のＤＬ  ＢＷＰとして選択し得る。
【００４４】
無線デバイスが、現在のアクティブＵＬ  ＢＷＰ上で、選択されたＰＲＡＣＨ設定／リソースを使用してランダムアクセスプロシージャを始動するとき、無線デバイスは、したがって、ＰＲＡＣＨ設定またはリソースあるいは現在のアクティブＵＬ  ＢＷＰのいずれかに基づく関連付けによって指示される１つまたは複数のＤＬ  ＢＷＰを決定する。
【００４５】
ランダムアクセスプリアンブルの送信の後に、無線デバイスは、ＲＡＲを監視するために、決定された１つまたは複数のＤＬ  ＢＷＰのうちの１つに切り替える。いくつかの例では、無線デバイスは、所定の時間期間（たとえば、ＲＡＲウィンドウの持続時間、または追加の設定されたタイマー）の間第１のＤＬ  ＢＷＰを監視し、所定の時間期間が経過したことに応答して、無線デバイスは、考えられるデータ受信のために前のアクティブＢＷＰに切り替え得る。
【００４６】
いくつかの例では、無線デバイスは、無線デバイスのアクティブＤＬ  ＢＷＰと、プリアンブル送信のために使用される、ＰＲＡＣＨ設定、ＰＲＡＣＨリソースまたはＵＬ  ＢＷＰに関連付けられた、１つまたは複数のＢＷＰとの両方を監視し得る。
【００４７】
ＲＡＲ監視のための、第１のＤＬ  ＢＷＰの選択は、いくつかのやり方で実施され得る。一例では、１つまたは複数のＤＬ  ＢＷＰが、無線デバイスがデータ受信のために監視するように設定されたアクティブＤＬ  ＢＷＰを含むことに応答して、無線デバイスは、アクティブＤＬ  ＢＷＰを第１のＤＬ  ＢＷＰとして選択し得る。この例では、したがって、無線デバイスは、ＲＡＲの受信のために監視するためにＤＬ  ＢＷＰを切り替えない。
【００４８】
いくつかの例では、無線デバイスは、ＲＡＲ監視のために、１つまたは複数の設定されたＤＬ  ＢＷＰのうちの１つをランダムに選択する。
【００４９】
また別の例では、無線デバイスは、無線デバイスの帯域幅能力に基づいて第１のＤＬ  ＢＷＰを選択する。たとえば、無線デバイスは、ＤＬ  ＢＷＰのある帯域幅サイズのみを監視することが可能であることがあり、したがって、１つまたは複数のＤＬ  ＢＷＰのサイズに基づいて１つまたは複数のＤＬ  ＢＷＰから第１のＤＬ  ＢＷＰを選択し得る。
【００５０】
さらなる一例では、無線デバイスは、ＲＡＲ受信のために複数のＤＬ  ＢＷＰを同時に監視し得る。たとえば、無線デバイスは、ＲＡＲ受信のために監視すべき２つ以上の第１のＤＬ  ＢＷＰを選択し得る。
【００５１】
ＵＥはまた、順次、１つまたは複数のＤＬ  ＢＷＰ上のＲＡＲの受信のためにＤＬ  ＢＷＰを監視し得る。たとえば、無線デバイスは、最初に、１つのＤＬ  ＢＷＰを監視し、所与の時間期間の間に受信されたＲＡＲがない場合、ＵＥは、次のＤＬ  ＢＷＰに移動する。たとえば、無線デバイスは、所定の時間期間の間第１のＤＬ  ＢＷＰを監視し得、所定の時間期間が経過したことに応答して、関連付けに基づいて第２のＤＬ  ＢＷＰを選択し得、第２のＤＬ  ＢＷＰを監視し得る。
【００５２】
基地局も、ランダムアクセスプロシージャを実施し得る。たとえば、基地局は、第１のランダムアクセスリソース上で無線デバイスから第１のランダムアクセスプリアンブルを受信し得る。たとえば、基地局は、図１に示されているようにＭｓｇ１を受信し得る。
【００５３】
基地局は、次いで、関係付けに基づいて１つまたは複数のＤＬ  ＢＷＰを選択し得、１つまたは複数のＤＬ  ＢＷＰの各々中のリソースを使用してそれぞれのランダムアクセス応答メッセージを送信し得る。言い換えれば、基地局は、１つまたは複数のＤＬ  ＢＷＰの各々上でＲＡＲを送信し得る。
【００５４】
前に説明されたように、関連付けは、物理ランダムアクセス設定に関係するパラメータの異なる値におよび／またはキャリアの異なるＵＬ  ＢＷＰにキャリアの複数のＤＬ  ＢＷＰをマッピングし得る。
【００５５】
したがって、関連付けが、プリアンブルを送信するために使用されるＰＲＡＣＨ設定インデックスを１つまたは複数のＤＬ  ＢＷＰとリンクする実施形態では、基地局は、受信されたランダムアクセスプリアンブルのＰＲＡＣＨ設定インデックスから、送信を送った無線デバイスがＲＡＲの受信のために監視していることになる１つまたは複数のＤＬ  ＢＷＰを決定することができる。基地局は、したがって、決定された１つまたは複数のＤＬ  ＢＷＰの各々中でＲＡＲを送信し得る。
【００５６】
図３に示されている例では、受信されたランダムアクセスプリアンブルのＰＲＡＣＨ設定が１２のインデックスを有する場合、基地局は、無線デバイスが、ＤＬ  ＢＷＰ２およびＤＬ  ＢＷＰ３のうちの一方または両方を監視していることがあるので、これらのＤＬ  ＢＷＰ中でＲＡＲを送信し得る。
【００５７】
いくつかの例では、パラメータは、図４に示されているような、ランダムアクセスプリアンブルのセットの指示を含む。基地局は、したがって、関連付けにおいて第１のランダムアクセスプリアンブルにマッピングされた１つまたは複数のＤＬ  ＢＷＰを選択し得る。たとえば、第１のランダムアクセスプリアンブルが、インデックス１によって指示されるプリアンブルのセット内に入る場合、基地局は、ＤＬ  ＢＷＰ１とＤＬ  ＢＷＰ２の両方にＲＡＲを送信し得る。
【００５８】
いくつかの例では、パラメータは、図４に示されているような、ランダムアクセスリソースのセットの指示を含む。基地局は、したがって、関連付けにおいて第１のランダムアクセスリソースにマッピングされた１つまたは複数のＤＬ  ＢＷＰを選択し得る。たとえば、第１のランダムアクセスリソースが、インデックス１によって指示されるリソースのセット内に入る場合、基地局は、ＤＬ  ＢＷＰ１とＤＬ  ＢＷＰ２の両方にＲＡＲを送信し得る。
【００５９】
図５に示されているように、関連付けが、プリアンブルが送信されたときに使用されたＵＬ  ＢＷＰに１つまたは複数のＤＬ  ＢＷＰをマッピングする実施形態では、基地局は、ランダムアクセスプリアンブルがどのＵＬ  ＢＷＰ上で始動されたかを検出し得る。たとえば、基地局は、ビームフォーミングベースの受信に基づいて、ランダムアクセスプリアンブルがどのＵＬ  ＢＷＰ上で送信されたかを検出し得る。言い換えれば、いくつかの例では、ＵＬ  ＢＷＰは、無線デバイスのロケーションに基づいてそれらの無線デバイスに割り振られ得る。その場合、基地局は、ビームフォーミングに基づいて無線デバイスのロケーションを推定し、そのロケーションから、無線デバイスがどのＵＬ  ＢＷＰを使用したかを推定することが可能であり得る。基地局は、次いで、関連付けにおいて、検出されたＵＬ  ＢＷＰにリンクされる各ＤＬ  ＢＷＰ中で、ＲＡＲを送信し得る。
【００６０】
たとえば、ＵＬ  ＢＷＰ２が検出された場合、基地局は、無線デバイスが、ＤＬ  ＢＷＰ１およびＤＬ  ＢＷＰ２のうちの一方または両方を監視していることがあるので、これらのＤＬ  ＢＷＰ上でＲＡＲを送信し得る。
【００６１】
図１に示されているように、基地局は、ＲＡＲを送信するときに、受信無線デバイスが、Ｍｓｇ３を送信するために利用し得るアップリンクリソースの指示を含める。しかしながら、前に説明されたように、基地局は、どのＵＬ  ＢＷＰがアクティブＵＬ  ＢＷＰであるかに気づいていないことがある。たとえば、物理リソースブロックＰＲＢ３を使用してランダムアクセスプリアンブルが送信された場合、基地局は、ＵＬ  ＢＷＰ１と、ＵＬ  ＢＷＰ２と、ＵＬ  ＢＷＰ３とを区別することが可能でないことがある。基地局は、したがって、受信無線デバイスが、ＰＲＢ４を含まないＵＬ  ＢＷＰ１またはＵＬ  ＢＷＰ３中で動作していることがあるので、基地局がＰＲＢ４中でアップリンクリソースをスケジュールすることができるか否かを知らないことがある。
【００６２】
基地局は、したがって、ランダムアクセスリソースを含む１つまたは複数のＵＬ  ＢＷＰの各々についてアップリンクリソースのそれぞれのセットを各ランダムアクセス応答中で指示し得る。言い換えれば、各ランダムアクセス応答メッセージは、図２に示されている例では、ＵＬ  ＢＷＰ１についてＰＲＢ１を指定し、ＵＬ  ＢＷＰ２についてＰＲＢ４を指定し、ＵＬ  ＢＷＰ３についてＰＲＢ２を指定し得る。
【００６３】
いくつかの例では、ＲＡＲメッセージを搬送する媒体アクセス制御（ＭＡＣ）ペイロードデータユニット（ＰＤＵ）が、ランダムアクセス応答のための複数のＭＡＣペイロード（ＲＡＲ）を含み得る。各ＭＡＣペイロードは、ＵＬ  ＢＷＰに関連付けられたアップリンクグラントを搬送し得る。すべてのこれらのＲＡＲは、単一のＭＡＣサブヘッダを使用し得る（新しい指定された論理チャネルＩＤ（ＬＣＩＤ）が搬送され、このＬＣＩＤに関連付けられた複数のＭＡＣペイロードがあることが指示される）。この場合、新しいＬＣＩＤが導入され得る。ＲＡＲは、この例では、プリアンブルが送信されたＰＲＡＣＨリソースを共有するすべての考えられるＵＬ  ＢＷＰのためのグラントを搬送し得る。
【００６４】
いくつかの例では、ＲＡＲメッセージを搬送するＭＡＣ  ＰＤＵは、１つのＲＡＲのみを搬送する。このＲＡＲ中に、複数のＵＬグラントが含まれる。各グラントは、特定のＵＬ  ＢＷＰに関連付けられる。また、この例では、ＲＡＲは、プリアンブルが送信されたＰＲＡＣＨリソースを共有するすべての考えられるＵＬ  ＢＷＰのためのグラントを搬送し得る。
【００６５】
両方の選択肢において、リソースのアップリンクグラントに関連付けられた各ＵＬ  ＢＷＰのインデックスも含まれ得る。
【００６６】
図６は、いくつかの実施形態による無線ネットワークを示す。
【００６７】
本明細書で説明される主題は、任意の好適な構成要素を使用する任意の適切なタイプのシステムにおいて実装され得るが、本明細書で開示される実施形態は、図６に示されている例示的な無線ネットワークなど、無線ネットワークに関して説明される。簡単のために、図６の無線ネットワークは、ネットワーク６０６、ネットワークノード６６０および６６０ｂ、ならびにＷＤ６１０、６１０ｂ、および６１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード６６０および無線デバイス（ＷＤ）６１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【００６８】
無線ネットワークは、任意のタイプの通信、通信、データ、セルラー、および／または無線ネットワーク、あるいは他の同様のタイプのシステムを含み、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【００６９】
ネットワーク６０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【００７０】
ネットワークノード６６０およびＷＤ６１０は、以下でより詳細に説明される様々な構成要素を備える。これらの構成要素は、無線ネットワークにおいて無線接続を提供することなど、ネットワークノードおよび／または無線デバイス機能性を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【００７１】
本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、エボルブドノードＢ（ｅＮＢ）およびＮＲノードＢ（ｇＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【００７２】
図６では、ネットワークノード６６０は、処理回路要素６７０と、デバイス可読媒体６８０と、インターフェース６９０と、補助機器６８４と、電源６８６と、電力回路要素６８７と、アンテナ６６２とを含む。図６の例示的な無線ネットワーク中に示されているネットワークノード６６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノード６６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体６８０は、複数の別個のハードドライブならびに複数のＲＡＭモジュールを備え得る）。
【００７３】
同様に、ネットワークノード６６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノード６６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノード６６０は、複数の無線アクセス技術（ＲＡＴ）をサポートするように設定され得る。そのような実施形態では、いくつかの構成要素は複製され得（たとえば、異なるＲＡＴのための別個のデバイス可読媒体６８０）、いくつかの構成要素は再使用され得る（たとえば、同じアンテナ６６２がＲＡＴによって共有され得る）。ネットワークノード６６０は、ネットワークノード６６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノード６６０内の他の構成要素に統合され得る。
【００７４】
処理回路要素６７０は、ネットワークノードによって提供されるものとして本明細書で説明される、任意の決定動作、計算動作、または同様の動作（たとえば、いくつかの取得動作）を実施するように設定される。処理回路要素６７０によって実施されるこれらの動作は、処理回路要素６７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【００７５】
処理回路要素６７０は、単体で、またはデバイス可読媒体６８０などの他のネットワークノード６６０構成要素と併せてのいずれかで、ネットワークノード６６０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路要素６７０は、デバイス可読媒体６８０に記憶された命令、または処理回路要素６７０内のメモリに記憶された命令を実行し得る。そのような機能性は、本明細書で説明される様々な無線特徴、機能、または利益のうちのいずれかを提供することを含み得る。いくつかの実施形態では、処理回路要素６７０は、システムオンチップ（ＳＯＣ）を含み得る。
【００７６】
いくつかの実施形態では、処理回路要素６７０は、無線周波数（ＲＦ）トランシーバ回路要素６７２とベースバンド処理回路要素６７４とのうちの１つまたは複数を含み得る。いくつかの実施形態では、無線周波数（ＲＦ）トランシーバ回路要素６７２とベースバンド処理回路要素６７４とは、別個のチップ（またはチップのセット）、ボード、または無線ユニットおよびデジタルユニットなどのユニット上にあり得る。代替実施形態では、ＲＦトランシーバ回路要素６７２とベースバンド処理回路要素６７４との一部または全部は、同じチップまたはチップのセット、ボード、あるいはユニット上にあり得る。
【００７７】
いくつかの実施形態では、ネットワークノード、基地局、ｅＮＢまたは他のそのようなネットワークデバイスによって提供されるものとして本明細書で説明される機能性の一部または全部は、デバイス可読媒体６８０、または処理回路要素６７０内のメモリに記憶された、命令を実行する処理回路要素６７０によって実施され得る。代替実施形態では、機能性の一部または全部は、ハードワイヤード様式などで、別個のまたは個別のデバイス可読媒体に記憶された命令を実行することなしに、処理回路要素６７０によって提供され得る。それらの実施形態のいずれでも、デバイス可読記憶媒体に記憶された命令を実行するか否かにかかわらず、処理回路要素６７０は、説明される機能性を実施するように設定され得る。そのような機能性によって提供される利益は、処理回路要素６７０単独に、またはネットワークノード６６０の他の構成要素に限定されないが、全体としてネットワークノード６６０によって、ならびに／または概してエンドユーザおよび無線ネットワークによって、享受される。
【００７８】
デバイス可読媒体６８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路要素６７０によって使用され得る情報、データ、および／または命令を記憶する、任意の他の揮発性または不揮発性、非一時的デバイス可読および／またはコンピュータ実行可能メモリデバイスを備え得る。デバイス可読媒体６８０は、コンピュータプログラム、ソフトウェア、論理、ルール、コード、表などのうちの１つまたは複数を含むアプリケーション、および／または処理回路要素６７０によって実行されることが可能であり、ネットワークノード６６０によって利用される、他の命令を含む、任意の好適な命令、データまたは情報を記憶し得る。デバイス可読媒体６８０は、処理回路要素６７０によって行われた計算および／またはインターフェース６９０を介して受信されたデータを記憶するために使用され得る。いくつかの実施形態では、処理回路要素６７０およびデバイス可読媒体６８０は、統合されていると見なされ得る。
【００７９】
インターフェース６９０は、ネットワークノード６６０、ネットワーク６０６、および／またはＷＤ６１０の間のシグナリングおよび／またはデータの有線または無線通信において使用される。示されているように、インターフェース６９０は、たとえば有線接続上でネットワーク６０６との間でデータを送るおよび受信するための（１つまたは複数の）ポート／（１つまたは複数の）端末６９４を備える。インターフェース６９０は、アンテナ６６２に結合されるか、またはいくつかの実施形態では、アンテナ６６２の一部であり得る、無線フロントエンド回路要素６９２をも含む。無線フロントエンド回路要素６９２は、フィルタ６９８と増幅器６９６とを備える。無線フロントエンド回路要素６９２は、アンテナ６６２および処理回路要素６７０に接続され得る。無線フロントエンド回路要素は、アンテナ６６２と処理回路要素６７０との間で通信される信号を調節するように設定され得る。無線フロントエンド回路要素６９２は、無線接続を介して他のネットワークノードまたはＷＤに送出されるべきであるデジタルデータを受信し得る。無線フロントエンド回路要素６９２は、デジタルデータを、フィルタ６９８および／または増幅器６９６の組合せを使用して適切なチャネルおよび帯域幅パラメータを有する無線信号に変換し得る。無線信号は、次いで、アンテナ６６２を介して送信され得る。同様に、データを受信するとき、アンテナ６６２は無線信号を集め得、次いで、無線信号は無線フロントエンド回路要素６９２によってデジタルデータに変換される。デジタルデータは、処理回路要素６７０に受け渡され得る。他の実施形態では、インターフェースは、異なる構成要素および／または構成要素の異なる組合せを備え得る。
【００８０】
いくつかの代替実施形態では、ネットワークノード６６０は別個の無線フロントエンド回路要素６９２を含まないことがあり、代わりに、処理回路要素６７０は、無線フロントエンド回路要素を備え得、別個の無線フロントエンド回路要素６９２なしでアンテナ６６２に接続され得る。同様に、いくつかの実施形態では、ＲＦトランシーバ回路要素６７２の全部または一部が、インターフェース６９０の一部と見なされ得る。さらに他の実施形態では、インターフェース６９０は、無線ユニット（図示せず）の一部として、１つまたは複数のポートまたは端末６９４と、無線フロントエンド回路要素６９２と、ＲＦトランシーバ回路要素６７２とを含み得、インターフェース６９０は、デジタルユニット（図示せず）の一部であるベースバンド処理回路要素６７４と通信し得る。
【００８１】
アンテナ６６２は、無線信号を送り、および／または受信するように設定された、１つまたは複数のアンテナまたはアンテナアレイを含み得る。アンテナ６６２は、無線フロントエンド回路要素６９２に結合され得、データおよび／または信号を無線で送信および受信することが可能な任意のタイプのアンテナであり得る。いくつかの実施形態では、アンテナ６６２は、たとえば２ＧＨｚから６６ＧＨｚの間の無線信号を送信／受信するように動作可能な１つまたは複数の全方向、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ６６２は、ネットワークノード６６０とは別個であり得、インターフェースまたはポートを通してネットワークノード６６０に接続可能であり得る。
【００８２】
アンテナ６６２、インターフェース６９０、および／または処理回路要素６７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナ６６２、インターフェース６９０、および／または処理回路要素６７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【００８３】
電力回路要素６８７は、電力管理回路要素を備えるか、または電力管理回路要素に結合され得、本明細書で説明される機能性を実施するための電力を、ネットワークノード６６０の構成要素に供給するように設定される。電力回路要素６８７は、電源６８６から電力を受信し得る。電源６８６および／または電力回路要素６８７は、それぞれの構成要素に好適な形式で（たとえば、各それぞれの構成要素のために必要とされる電圧および電流レベルにおいて）、ネットワークノード６６０の様々な構成要素に電力を提供するように設定され得る。電源６８６は、電力回路要素６８７および／またはネットワークノード６６０中に含まれるか、あるいは電力回路要素６８７および／またはネットワークノード６６０の外部にあるかのいずれかであり得る。たとえば、ネットワークノード６６０は、電気ケーブルなどの入力回路要素またはインターフェースを介して外部電源（たとえば、電気コンセント）に接続可能であり得、それにより、外部電源は電力回路要素６８７に電力を供給する。さらなる例として、電源６８６は、電力回路要素６８７に接続された、または電力回路要素６８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【００８４】
ネットワークノード６６０の代替実施形態は、本明細書で説明される機能性、および／または本明細書で説明される主題をサポートするために必要な機能性のうちのいずれかを含む、ネットワークノードの機能性のいくつかの態様を提供することを担当し得る、図６に示されている構成要素以外の追加の構成要素を含み得る。たとえば、ネットワークノード６６０は、ネットワークノード６６０への情報の入力を可能にするための、およびネットワークノード６６０からの情報の出力を可能にするための、ユーザインターフェース機器を含み得る。これは、ユーザが、ネットワークノード６６０のための診断、メンテナンス、修復、および他のアドミニストレーティブ機能を実施することを可能にし得る。
【００８５】
本明細書で使用される無線デバイス（ＷＤ）は、ネットワークノードおよび／または他の無線デバイスと無線で通信することが可能な、そうするように設定された、構成された、および／または動作可能なデバイスを指す。別段に記載されていない限り、ＷＤという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線顧客構内機器（ＣＰＥ：ｃｕｓｔｏｍｅｒ  ｐｒｅｍｉｓｅ  ｅｑｕｉｐｍｅｎｔ）、車載無線端末デバイスなどを含む。ＷＤは、たとえばサイドリンク通信、車両対車両（Ｖ２Ｖ）、車両対インフラストラクチャ（Ｖ２Ｉ）、Ｖ２Ｘ（Ｖｅｈｉｃｌｅ−ｔｏ−Ｅｖｅｒｙｔｈｉｎｇ）のための３ＧＰＰ規格を実装することによって、デバイスツーデバイス（Ｄ２Ｄ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシンツーマシン（Ｍ２Ｍ）デバイスであり得、Ｍ２Ｍデバイスは、３ＧＰＰコンテキストではＭＴＣデバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連付けられた他の機能が可能である。上記で説明されたＷＤは無線接続のエンドポイントを表し得、その場合、デバイスは無線端末と呼ばれることがある。さらに、上記で説明されたＷＤはモバイルであり得、その場合、デバイスはモバイルデバイスまたはモバイル端末と呼ばれるこ��もある。
【００８６】
示されているように、無線デバイス６１０は、アンテナ６１１と、インターフェース６１４と、処理回路要素６２０と、デバイス可読媒体６３０と、ユーザインターフェース機器６３２と、補助機器６３４と、電源６３６と、電力回路要素６３７とを含む。ＷＤ６１０は、ＷＤ６１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ６１０内の他の構成要素と同じまたは異なるチップまたはチップのセットに統合され得る。
【００８７】
アンテナ６１１は、無線信号を送り、および／または受信するように設定された、１つまたは複数のアンテナまたはアンテナアレイを含み得、インターフェース６１４に接続される。いくつかの代替実施形態では、アンテナ６１１は、ＷＤ６１０とは別個であり、インターフェースまたはポートを通してＷＤ６１０に接続可能であり得る。アンテナ６１１、インターフェース６１４、および／または処理回路要素６２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路要素および／またはアンテナ６１１は、インターフェースと見なされ得る。
【００８８】
示されているように、インターフェース６１４は、無線フロントエンド回路要素６１２とアンテナ６１１とを備える。無線フロントエンド回路要素６１２は、１つまたは複数のフィルタ６１８と増幅器６１６とを備える。無線フロントエンド回路要素６１２は、アンテナ６１１および処理回路要素６２０に接続され、アンテナ６１１と処理回路要素６２０との間で通信される信号を調節するように設定される。無線フロントエンド回路要素６１２は、アンテナ６１１に結合されるか、またはアンテナ６１１の一部であり得る。いくつかの実施形態では、ＷＤ６１０は別個の無線フロントエンド回路要素６１２を含まないことがあり、むしろ、処理回路要素６２０は、無線フロントエンド回路要素を備え得、アンテナ６１１に接続され得る。同様に、いくつかの実施形態では、ＲＦトランシーバ回路要素６２２の一部または全部が、インターフェース６１４の一部と見なされ得る。無線フロントエンド回路要素６１２は、無線接続を介して他のネットワークノードまたはＷＤに送出されるべきであるデジタルデータを受信し得る。無線フロントエンド回路要素６１２は、デジタルデータを、フィルタ６１８および／または増幅器６１６の組合せを使用して適切なチャネルおよび帯域幅パラメータを有する無線信号に変換し得る。無線信号は、次いで、アンテナ６１１を介して送信され得る。同様に、データを受信するとき、アンテナ６１１は無線信号を集め得、次いで、無線信号は無線フロントエンド回路要素６１２によってデジタルデータに変換される。デジタルデータは、処理回路要素６２０に受け渡され得る。他の実施形態では、インターフェースは、異なる構成要素および／または構成要素の異なる組合せを備え得る。
【００８９】
処理回路要素６２０は、単体で、またはデバイス可読媒体６３０などの他のＷＤ６１０構成要素と併せてのいずれかで、ＷＤ６１０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能性は、本明細書で説明される様々な無線特徴または利益のうちのいずれかを提供することを含み得る。たとえば、処理回路要素６２０は、本明細書で開示される機能性を提供するために、デバイス可読媒体６３０に記憶された命令、または処理回路要素６２０内のメモリに記憶された命令を実行し得る。
【００９０】
示されているように、処理回路要素６２０は、ＲＦトランシーバ回路要素６２２、ベースバンド処理回路要素６２４、およびアプリケーション処理回路要素６２６のうちの１つまたは複数を含む。他の実施形態では、処理回路要素は、異なる構成要素および／または構成要素の異なる組合せを備え得る。いくつかの実施形態では、ＷＤ６１０の処理回路要素６２０は、ＳＯＣを備え得る。いくつかの実施形態では、ＲＦトランシーバ回路要素６２２、ベースバンド処理回路要素６２４、およびアプリケーション処理回路要素６２６は、別個のチップまたはチップのセット上にあり得る。代替実施形態では、ベースバンド処理回路要素６２４およびアプリケーション処理回路要素６２６の一部または全部は１つのチップまたはチップのセットになるように組み合わせられ得、ＲＦトランシーバ回路要素６２２は別個のチップまたはチップのセット上にあり得る。さらに代替の実施形態では、ＲＦトランシーバ回路要素６２２およびベースバンド処理回路要素６２４の一部または全部は同じチップまたはチップのセット上にあり得、アプリケーション処理回路要素６２６は別個のチップまたはチップのセット上にあり得る。また他の代替実施形態では、ＲＦトランシーバ回路要素６２２、ベースバンド処理回路要素６２４、およびアプリケーション処理回路要素６２６の一部または全部は、同じチップまたはチップのセット中で組み合わせられ得る。いくつかの実施形態では、ＲＦトランシーバ回路要素６２２は、インターフェース６１４の一部であり得る。ＲＦトランシーバ回路要素６２２は、処理回路要素６２０のためのＲＦ信号を調節し得る。
【００９１】
いくつかの実施形態では、ＷＤによって実施されるものとして本明細書で説明される機能性の一部または全部は、デバイス可読媒体６３０に記憶された命令を実行する処理回路要素６２０によって提供され得、デバイス可読媒体６３０は、いくつかの実施形態では、コンピュータ可読記憶媒体であり得る。代替実施形態では、機能性の一部または全部は、ハードワイヤード様式などで、別個のまたは個別のデバイス可読記憶媒体に記憶された命令を実行することなしに、処理回路要素６２０によって提供され得る。それらの特定の実施形態のいずれでも、デバイス可読記憶媒体に記憶された命令を実行するか否かにかかわらず、処理回路要素６２０は、説明される機能性を実施するように設定され得る。そのような機能性によって提供される利益は、処理回路要素６２０単独に、またはＷＤ６１０の他の構成要素に限定されないが、全体としてＷＤ６１０によって、ならびに／または概してエンドユーザおよび無線ネットワークによって、享受される。
【００９２】
処理回路要素６２０は、ＷＤによって実施されるものとして本明細書で説明される、任意の決定動作、計算動作、または同様の動作（たとえば、いくつかの取得動作）を実施するように設定され得る。処理回路要素６２０によって実施されるようなこれらの動作は、処理回路要素６２０によって取得された情報を、たとえば、取得された情報を他の情報に変換することによって、処理すること、取得された情報または変換された情報をＷＤ６１０によって記憶された情報と比較すること、ならびに／あるいは、取得された情報または変換された情報に基づいて、および前記処理が決定を行ったことの結果として、１つまたは複数の動作を実施することを含み得る。
【００９３】
デバイス可読媒体６３０は、コンピュータプログラム、ソフトウェア、論理、ルール、コード、表などのうちの１つまたは複数を含むアプリケーション、および／または処理回路要素６２０によって実行されることが可能な他の命令を記憶するように動作可能であり得る。デバイス可読媒体６３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素６２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路要素６２０およびデバイス可読媒体６３０は、統合されていると見なされ得る。
【００９４】
ユーザインターフェース機器６３２は、人間のユーザがＷＤ６１０と対話することを可能にする構成要素を提供し得る。そのような対話は、視覚、聴覚、触覚など、多くの形態のものであり得る。ユーザインターフェース機器６３２は、ユーザへの出力を作り出すように、およびユーザがＷＤ６１０への入力を提供することを可能にするように動作可能であり得る。対話のタイプは、ＷＤ６１０にインストールされるユーザインターフェース機器６３２のタイプに応じて変動し得る。たとえば、ＷＤ６１０がスマートフォンである場合、対話はタッチスクリーンを介したものであり得、ＷＤ６１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器６３２は、入力インターフェース、デバイスおよび回路、ならびに、出力インターフェース、デバイスおよび回路を含み得る。ユーザインターフェース機器６３２は、ＷＤ６１０への情報の入力を可能にするように設定され、処理回路要素６２０が入力情報を処理することを可能にするために、処理回路要素６２０に接続される。ユーザインターフェース機器６３２は、たとえば、マイクロフォン、近接度または他のセンサー、キー／ボタン、タッチディスプレイ、１つまたは複数のカメラ、ＵＳＢポート、あるいは他の入力回路要素を含み得る。ユーザインターフェース機器６３２はまた、ＷＤ６１０からの情報の出力を可能にするように、および処理回路要素６２０がＷＤ６１０からの情報を出力することを可能にするように設定される。ユーザインターフェース機器６３２は、たとえば、スピーカー、ディスプレイ、振動回路要素、ＵＳＢポート、ヘッドフォンインターフェース、または他の出力回路要素を含み得る。ユーザインターフェース機器６３２の１つまたは複数の入力および出力インターフェース、デバイス、および回路を使用して、ＷＤ６１０は、エンドユーザおよび／または無線ネットワークと通信し、エンドユーザおよび／または無線ネットワークが本明細書で説明される機能性から利益を得ることを可能にし得る。
【００９５】
補助機器６３４は、概してＷＤによって実施されないことがある、より固有の機能性を提供するように動作可能である。これは、様々な目的のために測定を行うための特殊化されたセンサー、有線通信などのさらなるタイプの通信のためのインターフェースなどを備え得る。補助機器６３４の構成要素の包含およびタイプは、実施形態および／またはシナリオに応じて変動し得る。
【００９６】
電源６３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ６１０は、電源６３６から、本明細書で説明または指示される任意の機能性を行うために電源６３６からの電力を必要とする、ＷＤ６１０の様々な部分に電力を配信するための、電力回路要素６３７をさらに備え得る。電力回路要素６３７は、いくつかの実施形態では、電力管理回路要素を備え得る。電力回路要素６３７は、追加または代替として、外部電源から電力を受信するように動作可能であり得、その場合、ＷＤ６１０は、電力ケーブルなどの入力回路要素またはインターフェースを介して（電気コンセントなどの）外部電源に接続可能であり得る。電力回路要素６３７はまた、いくつかの実施形態では、外部電源から電源６３６に電力を配信するように動作可能であり得る。これは、たとえば、電源６３６の充電のためのものであり得る。電力回路要素６３７は、電源６３６からの電力に対して、その電力を、電力が供給されるＷＤ６１０のそれぞれの構成要素に好適であるようにするために、任意のフォーマッティング、変換、または他の修正を実施し得る。
【００９７】
図７は、いくつかの実施形態によるユーザ機器を示す。
【００９８】
図７は、本明細書で説明される様々な態様による、ＵＥの一実施形態を示す。本明細書で使用されるユーザ機器またはＵＥは、必ずしも、関連するデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイス（たとえば、スマートスプリンクラーコントローラ）を表し得る。代替的に、ＵＥは、エンドユーザへの販売、またはエンドユーザによる動作を意図されないが、ユーザに関連付けられるか、またはユーザの利益のために動作され得る、デバイス（たとえば、スマート電力計）を表し得る。ＵＥ７００は、ＮＢ−ＩｏＴ  ＵＥ、マシン型通信（ＭＴＣ）ＵＥ、および／または拡張ＭＴＣ（ｅＭＴＣ）ＵＥを含む、第３世代パートナーシッププロジェクト（３ＧＰＰ）によって識別される任意のＵＥであり得る。図７に示されているＵＥ７００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図７はＵＥであるが、本明細書で説明される構成要素は、ＷＤに等しく適用可能であり、その逆も同様である。
【００９９】
図７では、ＵＥ７００は、入出力インターフェース７０５、無線周波数（ＲＦ）インターフェース７０９、ネットワーク接続インターフェース７１１、ランダムアクセスメモリ（ＲＡＭ）７１７と読取り専用メモリ（ＲＯＭ）７１９と記憶媒体７２１などとを含むメモリ７１５、通信サブシステム７３１、電源７１３、および／または他の構成要素、あるいはそれらの任意の組合せに動作可能に結合された、処理回路要素７０１を含む。記憶媒体７２１は、オペレーティングシステム７２３と、アプリケーションプログラム７２５と、データ７２７とを含む。他の実施形態では、記憶媒体７２１は、他の同様のタイプの情報を含み得る。いくつかのＵＥは、図７に示されている構成要素のすべてを利用するか、またはそれらの構成要素のサブセットのみを利用し得る。構成要素間の統合のレベルは、ＵＥごとに変動し得る。さらに、いくつかのＵＥは、複数のプロセッサ、メモリ、トランシーバ、送信機、受信機など、構成要素の複数のインスタンスを含んでいることがある。
【０１００】
図７では、処理回路要素７０１は、コンピュータ命令およびデータを処理するように設定され得る。処理回路要素７０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路要素７０１は、２つの中央処理ユニット（ＣＰＵ）を含み得る。データは、コンピュータによる使用に好適な形式での情報であり得る。
【０１０１】
図示された実施形態では、入出力インターフェース７０５は、入力デバイス、出力デバイス、または入出力デバイスに通信インターフェースを提供するように設定され得る。ＵＥ７００は、入出力インターフェース７０５を介して出力デバイスを使用するように設定され得る。出力デバイスは、入力デバイスと同じタイプのインターフェースポートを使用し得る。たとえば、ＵＥ７００への入力およびＵＥ７００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ７００は、ユーザがＵＥ７００に情報をキャプチャすることを可能にするために、入出力インターフェース７０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【０１０２】
図７では、ＲＦインターフェース７０９は、送信機、受信機、およびアンテナなど、ＲＦ構成要素に通信インターフェースを提供するように設定され得る。ネットワーク接続インターフェース７１１は、ネットワーク７４３ａに通信インターフェースを提供するように設定され得る。ネットワーク７４３ａは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク７４３ａは、Ｗｉ−Ｆｉネットワークを備え得る。ネットワーク接続インターフェース７１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェース７１１は、通信ネットワークリンク（たとえば、光学的、電気的など）に適した受信機および送信機機能性を実装し得る。送信機および受信機機能は、回路構成要素、ソフトウェアまたはファームウェアを共有し得るか、あるいは、代替的に、別個に実装され得る。
【０１０３】
ＲＡＭ７１７は、オペレーティングシステム、アプリケーションプログラム、およびデバイスドライバなど、ソフトウェアプログラムの実行中に、データまたはコンピュータ命令の記憶またはキャッシングを提供するために、バス７０２を介して処理回路要素７０１にインターフェースするように設定され得る。ＲＯＭ７１９は、処理回路要素７０１にコンピュータ命令またはデータを提供するように設定され得る。たとえば、ＲＯＭ７１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体７２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体７２１は、オペレーティングシステム７２３と、ウェブブラウザアプリケーション、ウィジェットまたはガジェットエンジン、あるいは別のアプリケーションなどのアプリケーションプログラム７２５と、データファイル７２７とを含むように設定され得る。記憶媒体７２１は、ＵＥ７００による使用のために、多様な様々なオペレーティングシステムまたはオペレーティングシステムの組合せのうちのいずれかを記憶し得る。
【０１０４】
記憶媒体７２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、あるいはそれらの任意の組合せなど、いくつかの物理ドライブユニットを含むように設定され得る。記憶媒体７２１は、ＵＥ７００が、一時的または非一時的メモリ媒体に記憶されたコンピュータ実行可能命令、アプリケーションプログラムなどにアクセスすること、データをオフロードすること、あるいはデータをアップロードすることを可能にし得る。通信システムを利用する製造品などの製造品は、記憶媒体７２１中に有形に具現され得、記憶媒体７２１はデバイス可読媒体を備え得る。
【０１０５】
図７では、処理回路要素７０１は、通信サブシステム７３１を使用してネットワーク７４３ｂと通信するように設定され得る。ネットワーク７４３ａとネットワーク７４３ｂとは、同じ１つまたは複数のネットワークまたは異なる１つまたは複数のネットワークであり得る。通信サブシステム７３１は、ネットワーク７４３ｂと通信するために使用される１つまたは複数のトランシーバを含むように設定され得る。たとえば、通信サブシステム７３１は、ＩＥＥＥ８０２．７、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能性または受信機機能性をそれぞれ実装するための、送信機７３３および／または受信機７３５を含み得る。さらに、各トランシーバの送信機７３３および受信機７３５は、回路構成要素、ソフトウェアまたはファームウェアを共有し得るか、あるいは、代替的に、別個に実装され得る。
【０１０６】
示されている実施形態では、通信サブシステム７３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム７３１は、セルラー通信と、Ｗｉ−Ｆｉ通信と、Ｂｌｕｅｔｏｏｔｈ通信と、ＧＰＳ通信とを含み得る。ネットワーク７４３ｂは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク７４３ｂは、セルラーネットワーク、Ｗｉ−Ｆｉネットワーク、および／またはニアフィールドネットワークであり得る。電源７１３は、ＵＥ７００の構成要素に交流（ＡＣ）または直流（ＤＣ）電力を提供するように設定され得る。
【０１０７】
本明細書で説明される特徴、利益および／または機能は、ＵＥ７００の構成要素のうちの１つにおいて実装されるか、またはＵＥ７００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステム７３１は、本明細書で説明される構成要素のうちのいずれかを含むように設定され得る。さらに、処理回路要素７０１は、バス７０２上でそのような構成要素のうちのいずれかと通信するように設定され得る。別の例では、そのような構成要素のうちのいずれかは、処理回路要素７０１によって実行されたとき、本明細書で説明される対応する機能を実施する、メモリに記憶されたプログラム命令によって表され得る。別の例では、そのような構成要素のうちのいずれかの機能性は、処理回路要素７０１と通信サブシステム７３１との間で分割され得る。別の例では、そのような構成要素のうちのいずれかの非計算集約的機能が、ソフトウェアまたはファームウェアで実装され得、計算集約的機能がハードウェアで実装され得る。
【０１０８】
図８は、いくつかの実施形態による仮想化環境を示す。
【０１０９】
図８は、いくつかの実施形態によって実装される機能が仮想化され得る、仮想化環境８００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能性の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【０１１０】
いくつかの実施形態では、本明細書で説明される機能の一部または全部は、ハードウェアノード８３０のうちの１つまたは複数によってホストされる１つまたは複数の仮想環境８００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【０１１１】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーション８２０によって実装され得る。アプリケーション８２０は、処理回路要素８６０とメモリ８９０−１とを備えるハードウェア８３０を提供する、仮想化環境８００において稼働される。メモリ８９０−１は、処理回路要素８６０によって実行可能な命令８９５を含んでおり、それにより、アプリケーション８２０は、本明細書で開示される特徴、利益、および／または機能のうちの１つまたは複数を提供するように動作可能である。
【０１１２】
仮想化環境８００は、１つまたは複数のプロセッサのセットまたは処理回路要素８６０を備える、汎用または専用のネットワークハードウェアデバイス８３０を備え、１つまたは複数のプロセッサのセットまたは処理回路要素８６０は、商用オフザシェルフ（ＣＯＴＳ：ｃｏｍｍｅｒｃｉａｌ  ｏｆｆ−ｔｈｅ−ｓｈｅｌｆ）プロセッサ、専用の特定用途向け集積回路（ＡＳＩＣ）、あるいは、デジタルもしくはアナログハードウェア構成要素または専用プロセッサを含む任意の他のタイプの処理回路要素であり得る。各ハードウェアデバイスはメモリ８９０−１を備え得、メモリ８９０−１は、処理回路要素８６０によって実行される命令８９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）８７０を備え得、ネットワークインターフェースコントローラ（ＮＩＣ）８７０は物理ネットワークインターフェース８８０を含む。各ハードウェアデバイスは、処理回路要素８６０によって実行可能なソフトウェア８９５および／または命令を記憶した、非一時的、永続的、機械可読記憶媒体８９０−２をも含み得る。ソフトウェア８９５は、１つまたは複数の（ハイパーバイザとも呼ばれる）仮想化レイヤ８５０をインスタンス化するためのソフトウェア、仮想マシン８４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【０１１３】
仮想マシン８４０は、仮想処理、仮想メモリ、仮想ネットワーキングまたはインターフェース、および仮想記憶域を備え、対応する仮想化レイヤ８５０またはハイパーバイザによって稼働され得る。仮想アプライアンス８２０の事例の異なる実施形態が、仮想マシン８４０のうちの１つまたは複数上で実装され得、実装は異なるやり方で行われ得る。
【０１１４】
動作中に、処理回路要素８６０は、ソフトウェア８９５を実行してハイパーバイザまたは仮想化レイヤ８５０をインスタンス化し、ハイパーバイザまたは仮想化レイヤ８５０は、時々、仮想マシンモニタ（ＶＭＭ）と呼ばれることがある。仮想化レイヤ８５０は、仮想マシン８４０に、ネットワーキングハードウェアのように見える仮想動作プラットフォームを提示し得る。
【０１１５】
図８に示されているように、ハードウェア８３０は、一般的なまたは特定の構成要素をもつスタンドアロンネットワークノードであり得る。ハードウェア８３０は、アンテナ８２２５を備え得、仮想化を介していくつかの機能を実装し得る。代替的に、ハードウェア８３０は、多くのハードウェアノードが協働し、特に、アプリケーション８２０のライフサイクル管理を監督する、管理およびオーケストレーション（ＭＡＮＯ）８１００を介して管理される、（たとえば、データセンターまたは顧客構内機器（ＣＰＥ）の場合のような）ハードウェアのより大きいクラスタの一部であり得る。
【０１１６】
ハードウェアの仮想化は、いくつかのコンテキストにおいて、ネットワーク機能仮想化（ＮＦＶ）と呼ばれる。ＮＦＶは、多くのネットワーク機器タイプを、データセンターおよび顧客構内機器中に位置し得る、業界標準高ボリュームサーバハードウェア、物理スイッチ、および物理記憶域上にコンソリデートするために使用され得る。
【０１１７】
ＮＦＶのコンテキストでは、仮想マシン８４０は、プログラムを、それらのプログラムが、物理的な仮想化されていないマシン上で実行しているかのように稼働する、物理マシンのソフトウェア実装形態であり得る。仮想マシン８４０の各々と、その仮想マシンに専用のハードウェアであろうと、および／またはその仮想マシンによって仮想マシン８４０のうちの他の仮想マシンと共有されるハードウェアであろうと、その仮想マシンを実行するハードウェア８３０のその一部とは、別個の仮想ネットワークエレメント（ＶＮＥ）を形成する。
【０１１８】
さらにＮＦＶのコンテキストでは、仮想ネットワーク機能（ＶＮＦ）は、ハードウェアネットワーキングインフラストラクチャ８３０の上の１つまたは複数の仮想マシン８４０において稼働する固有のネットワーク機能をハンドリングすることを担当し、図８中のアプリケーション８２０に対応する。
【０１１９】
いくつかの実施形態では、各々、１つまたは複数の送信機８２２０と１つまたは複数の受信機８２１０とを含む、１つまたは複数の無線ユニット８２００は、１つまたは複数のアンテナ８２２５に結合され得る。無線ユニット８２００は、１つまたは複数の適切なネットワークインターフェースを介してハードウェアノード８３０と直接通信し得、無線アクセスノードまたは基地局など、無線能力をもつ仮想ノードを提供するために仮想構成要素と組み合わせて使用され得る。
【０１２０】
いくつかの実施形態では、何らかのシグナリングが、ハードウェアノード８３０と無線ユニット８２００との間の通信のために代替的に使用され得る制御システム８２３０を使用して、実現され得る。
【０１２１】
図９は、いくつかの実施形態による、中間ネットワークを介してホストコンピュータに接続された通信ネットワークを示す。
【０１２２】
図９を参照すると、一実施形態によれば、通信システムが、無線アクセスネットワークなどのアクセスネットワーク９１１とコアネットワーク９１４とを備える、３ＧＰＰタイプセルラーネットワークなどの通信ネットワーク９１０を含む。アクセスネットワーク９１１は、ＮＢ、ｅＮＢ、ｇＮＢまたは他のタイプの無線アクセスポイントなど、複数の基地局９１２ａ、９１２ｂ、９１２ｃを備え、各々が、対応するカバレッジエリア９１３ａ、９１３ｂ、９１３ｃを規定する。各基地局９１２ａ、９１２ｂ、９１２ｃは、有線接続または無線接続９１５上でコアネットワーク９１４に接続可能である。カバレッジエリア９１３ｃ中に位置する第１のＵＥ９９１が、対応する基地局９１２ｃに無線で接続するか、または対応する基地局９１２ｃによってページングされるように設定される。カバレッジエリア９１３ａ中の第２のＵＥ９９２が、対応する基地局９１２ａに無線で接続可能である。この例では複数のＵＥ９９１、９９２が示されているが、開示される実施形態は、唯一のＵＥがカバレッジエリア中にある状況、または唯一のＵＥが対応する基地局９１２に接続している状況に等しく適用可能である。
【０１２３】
通信ネットワーク９１０は、それ自体、ホストコンピュータ９３０に接続され、ホストコンピュータ９３０は、スタンドアロンサーバ、クラウド実装サーバ、分散型サーバのハードウェアおよび／またはソフトウェアにおいて、あるいはサーバファーム中の処理リソースとして具現され得る。ホストコンピュータ９３０は、サービスプロバイダの所有または制御下にあり得、あるいはサービスプロバイダによってまたはサービスプロバイダに代わって動作され得る。通信ネットワーク９１０とホストコンピュータ９３０との間の接続９２１および９２２は、コアネットワーク９１４からホストコンピュータ９３０に直接延び得るか、または随意の中間ネットワーク９２０を介して進み得る。中間ネットワーク９２０は、パブリックネットワーク、プライベートネットワーク、またはホストされたネットワークのうちの１つ、またはそれらのうちの２つ以上の組合せであり得、中間ネットワーク９２０は、もしあれば、バックボーンネットワークまたはインターネットであり得、特に、中間ネットワーク９２０は、２つまたはそれ以上のサブネットワーク（図示せず）を備え得る。
【０１２４】
図９の通信システムは全体として、接続されたＵＥ９９１、９９２とホストコンピュータ９３０との間のコネクティビティを可能にする。コネクティビティは、オーバーザトップ（ＯＴＴ）接続９５０として説明され得る。ホストコンピュータ９３０および接続されたＵＥ９９１、９９２は、アクセスネットワーク９１１、コアネットワーク９１４、任意の中間ネットワーク９２０、および考えられるさらなるインフラストラクチャ（図示せず）を媒介として使用して、ＯＴＴ接続９５０を介して、データおよび／またはシグナリングを通信するように設定される。ＯＴＴ接続９５０は、ＯＴＴ接続９５０が通過する、参加する通信デバイスが、アップリンクおよびダウンリンク通信のルーティングに気づいていないという意味で、透過的であり得る。たとえば、基地局９１２は、接続されたＵＥ９９１にフォワーディング（たとえば、ハンドオーバ）されるべき、ホストコンピュータ９３０から発生したデータを伴う着信ダウンリンク通信の過去のルーティングについて、通知されないことがあるかまたは通知される必要がない。同様に、基地局９１２は、ＵＥ９９１から発生してホストコンピュータ９３０に向かう発信アップリンク通信の将来ルーティングに気づいている必要がない。
【０１２５】
図１０は、いくつかの実施形態による、部分的無線接続上で基地局を介してユーザ機器と通信するホストコンピュータを示す。
【０１２６】
次に、一実施形態による、前の段落において説明されたＵＥ、基地局およびホストコンピュータの例示的な実装形態が、図１０を参照しながら説明される。通信システム１０００では、ホストコンピュータ１０１０が、通信システム１０００の異なる通信デバイスのインターフェースとの有線接続または無線接続をセットアップおよび維持するように設定された通信インターフェース１０１６を含む、ハードウェア１０１５を備える。ホストコンピュータ１０１０は、記憶能力および／または処理能力を有し得る、処理回路要素１０１８をさらに備える。特に、処理回路要素１０１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ１０１０は、ホストコンピュータ１０１０に記憶されるかまたはホストコンピュータ１０１０によってアクセス可能であり、処理回路要素１０１８によって実行可能である、ソフトウェア１０１１をさらに備える。ソフトウェア１０１１は、ホストアプリケーション１０１２を含む。ホストアプリケーション１０１２は、ＵＥ１０３０およびホストコンピュータ１０１０において終端するＯＴＴ接続１０５０を介して接続するＵＥ１０３０など、リモートユーザにサービスを提供するように動作可能であり得る。リモートユーザにサービスを提供する際に、ホストアプリケーション１０１２は、ＯＴＴ接続１０５０を使用して送信されるユーザデータを提供し得る。
【０１２７】
通信システム１０００は、通信システム中に提供される基地局１０２０をさらに含み、基地局１０２０は、基地局１０２０がホストコンピュータ１０１０およびＵＥ１０３０と通信することを可能にするハードウェア１０２５を備える。ハードウェア１０２５は、通信システム１０００の異なる通信デバイスのインターフェースとの有線接続または無線接続をセットアップおよび維持するための通信インターフェース１０２６、ならびに基地局１０２０によってサーブされるカバレッジエリア（図１０に図示せず）中に位置するＵＥ１０３０との少なくとも無線接続１０７０をセットアップおよび維持するための無線インターフェース１０２７を含み得る。通信インターフェース１０２６は、ホストコンピュータ１０１０への接続１０６０を容易にするように設定され得る。接続１０６０は直接であり得るか、あるいは、接続１０６０は、通信システムのコアネットワーク（図１０に図示せず）を、および／または通信システムの外部の１つまたは複数の中間ネットワークを通過し得る。図示の実施形態では、基地局１０２０のハードウェア１０２５は、処理回路要素１０２８をさらに含み、処理回路要素１０２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局１０２０は、内部的に記憶されるかまたは外部接続を介してアクセス可能なソフトウェア１０２１をさらに有する。
【０１２８】
通信システム１０００は、すでに言及されたＵＥ１０３０をさらに含む。ＵＥ１０３０のハードウェア１０３５は、ＵＥ１０３０が現在位置するカバレッジエリアをサーブする基地局との無線接続１０７０をセットアップおよび維持するように設定された、無線インターフェース１０３７を含み得る。ＵＥ１０３０のハードウェア１０３５は、処理回路要素１０３８をさらに含み、処理回路要素１０３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ１０３０は、ＵＥ１０３０に記憶されるかまたはＵＥ１０３０によってアクセス可能であり、処理回路要素１０３８によって実行可能である、ソフトウェア１０３１をさらに備える。ソフトウェア１０３１はクライアントアプリケーション１０３２を含む。クライアントアプリケーション１０３２は、ホストコンピュータ１０１０のサポートのもとに、ＵＥ１０３０を介して人間のまたは人間でないユーザにサービスを提供するように動作可能であり得る。ホストコンピュータ１０１０では、実行しているホストアプリケーション１０１２は、ＵＥ１０３０およびホストコンピュータ１０１０において終端するＯＴＴ接続１０５０を介して、実行しているクライアントアプリケーション１０３２と通信し得る。ユーザにサービスを提供する際に、クライアントアプリケーション１０３２は、ホストアプリケーション１０１２から要求データを受信し、要求データに応答してユーザデータを提供し得る。ＯＴＴ接続１０５０は、要求データとユーザデータの両方を転送し得る。クライアントアプリケーション１０３２は、クライアントアプリケーション１０３２が提供するユーザデータを生成するためにユーザと対話し得る。
【０１２９】
図１０に示されているホストコンピュータ１０１０、基地局１０２０およびＵＥ１０３０は、それぞれ、図９のホストコンピュータ９３０、基地局９１２ａ、９１２ｂ、９１２ｃのうちの１つ、およびＵＥ９９１、９９２のうちの１つと同様または同等であり得ることに留意されたい。つまり、これらのエンティティの内部の働きは、図１０に示されているようなものであり得、別個に、周囲のネットワークトポロジーは、図９のものであり得る。
【０１３０】
図１０では、ＯＴＴ接続１０５０は、仲介デバイスとこれらのデバイスを介したメッセージの正確なルーティングとへの明示的言及なしに、基地局１０２０を介したホストコンピュータ１０１０とＵＥ１０３０との間の通信を示すために抽象的に描かれている。ネットワークインフラストラクチャが、ルーティングを決定し得、ネットワークインフラストラクチャは、ＵＥ１０３０からまたはホストコンピュータ１０１０を動作させるサービスプロバイダから、またはその両方からルーティングを隠すように設定され得る。ＯＴＴ接続１０５０がアクティブである間、ネットワークインフラストラクチャは、さらに、ネットワークインフラストラクチャが（たとえば、ネットワークの負荷分散考慮または再設定に基づいて）ルーティングを動的に変更する判断を行い得る。
【０１３１】
ＵＥ１０３０と基地局１０２０との間の無線接続１０７０は、本開示全体にわたって説明される実施形態の教示に従う。様々な実施形態のうちの１つまたは複数は、無線接続１０７０が最後のセグメントを形成するＯＴＴ接続１０５０を使用して、ＵＥ１０３０に提供されるＯＴＴサービスの性能を改善する。より正確には、これらの実施形態の教示は、ランダムアクセスプロシージャを実施するために必要とされるリソースを低減し、それにより、低減された電力消費などの利益を提供し得る。
【０１３２】
１つまたは複数の実施形態が改善する、データレート、レイテンシおよび他のファクタを監視する目的での、測定プロシージャが提供され得る。測定結果の変動に応答して、ホストコンピュータ１０１０とＵＥ１０３０との間のＯＴＴ接続１０５０を再設定するための随意のネットワーク機能性がさらにあり得る。測定プロシージャおよび／またはＯＴＴ接続１０５０を再設定するためのネットワーク機能性は、ホストコンピュータ１０１０のソフトウェア１０１１およびハードウェア１０１５でまたはＵＥ１０３０のソフトウェア１０３１およびハードウェア１０３５で、またはその両方で実装され得る。実施形態では、ＯＴＴ接続１０５０が通過する通信デバイスにおいてまたはそれに関連して、センサー（図示せず）が展開され得、センサーは、上記で例示された監視された量の値を供給すること、またはソフトウェア１０１１、１０３１が監視された量を算出または推定し得る他の物理量の値を供給することによって、測定プロシージャに参加し得る。ＯＴＴ接続１０５０の再設定は、メッセージフォーマット、再送信セッティング、好ましいルーティングなどを含み得、再設定は、基地局１０２０に影響を及ぼす必要がなく、再設定は、基地局１０２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ１０１０の測定を容易にするプロプライエタリＵＥシグナリングを伴い得る。測定は、ソフトウェア１０１１および１０３１が、ソフトウェア１０１１および１０３１が伝搬時間、エラーなどを監視する間にＯＴＴ接続１０５０を使用して、メッセージ、特に空のまたは「ダミー」メッセージが送信されることを引き起こすことにおいて、実装され得る。
【０１３３】
図１１は、いくつかの実施形態による、ホストコンピュータと、基地局と、ユーザ機器とを含む通信システムにおいて実装される方法を示す。
【０１３４】
図１１は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１１への図面参照のみがこのセクションに含まれる。ステップ１１１０において、ホストコンピュータはユーザデータを提供する。ステップ１１１０の（随意であり得る）サブステップ１１１１において、ホストコンピュータは、ホストアプリケーションを実行することによって、ユーザデータを提供する。ステップ１１２０において、ホストコンピュータは、ＵＥにユーザデータを搬送する送信を始動する。（随意であり得る）ステップ１１３０において、基地局は、本開示全体にわたって説明される実施形態の教示に従って、ホストコンピュータが始動した送信において搬送されたユーザデータをＵＥに送信する。（また、随意であり得る）ステップ１１４０において、ＵＥは、ホストコンピュータによって実行されるホストアプリケーションに関連付けられたクライアントアプリケーションを実行する。
【０１３５】
図１２は、いくつかの実施形態による、ホストコンピュータと、基地局と、ユーザ機器とを含む通信システムにおいて実装される方法を示す。
【０１３６】
図１２は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１２への図面参照のみがこのセクションに含まれる。方法のステップ１２１０において、ホストコンピュータはユーザデータを提供する。随意のサブステップ（図示せず）において、ホストコンピュータは、ホストアプリケーションを実行することによって、ユーザデータを提供する。ステップ１２２０において、ホストコンピュータは、ＵＥにユーザデータを搬送する送信を始動する。送信は、本開示全体にわたって説明される実施形態の教示に従って、基地局を介して進み得る。（随意であり得る）ステップ１２３０において、ＵＥは、送信において搬送されたユーザデータを受信する。
【０１３７】
図１３は、いくつかの実施形態による、ホストコンピュータと、基地局と、ユーザ機器とを含む通信システムにおいて実装される方法を示す。
【０１３８】
図１３は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１３への図面参照のみがこのセクションに含まれる。（随意であり得る）ステップ１３１０において、ＵＥは、ホストコンピュータによって提供された入力データを受信する。追加または代替として、ステップ１３２０において、ＵＥはユーザデータを提供する。ステップ１３２０の（随意であり得る）サブステップ１３２１において、ＵＥは、クライアントアプリケーションを実行することによって、ユーザデータを提供する。ステップ１３１０の（随意であり得る）サブステップ１３１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップ１３３０において、ホストコンピュータへのユーザデータの送信を始動する。方法のステップ１３４０において、ホストコンピュータは、本開示全体にわたって説明される実施形態の教示に従って、ＵＥから送信されたユーザデータを受信する。
【０１３９】
図１４は、いくつかの実施形態による、ホストコンピュータと、基地局と、ユーザ機器とを含む通信システムにおいて実装される方法を示す。
【０１４０】
図１４は、一実施形態による、通信システムにおいて実装される方法を示すフローチャートである。通信システムは、図９および図１０を参照しながら説明されたものであり得る、ホストコンピュータと基地局とＵＥとを含む。本開示の簡単のために、図１４への図面参照のみがこのセクションに含まれる。（随意であり得る）ステップ１４１０において、本開示全体にわたって説明される実施形態の教示に従って、基地局は、ＵＥからユーザデータを受信する。（随意であり得る）ステップ１４２０において、基地局は、ホストコンピュータへの、受信されたユーザデータの送信を始動する。（随意であり得る）ステップ１４３０において、ホストコンピュータは、基地局によって始動された送信において搬送されたユーザデータを受信する。
【０１４１】
図１５は、いくつかの実施形態による方法を示す。
【０１４２】
図１５は、特定の実施形態による方法を図示し、方法は、ステップ１５０２において開始し、キャリアのアップリンク（ＵＬ）帯域幅部分（ＢＷＰ）中の第１のランダムアクセスリソースを使用して基地局に第１のランダムアクセスプリアンブルを送信したことに応答して、関連付けに基づいてキャリアの第１のダウンリンク（ＤＬ）ＢＷＰを選択し、関連付けは、物理ランダムアクセス設定に関係するパラメータの異なる値におよび／またはキャリアの異なるＵＬ  ＢＷＰにキャリアの複数のＤＬ  ＢＷＰをマッピングする。ステップ１５０４において、方法は、基地局からランダムアクセス応答を受信するために第１のＤＬ  ＢＷＰを監視することを含む。
【０１４３】
図１６は、いくつかの実施形態による方法を示す。
【０１４４】
図１６は、特定の実施形態による方法を図示し、方法は、ステップ１６０２において開始し、第１のランダムアクセスリソース上で無線デバイスから第１のランダムアクセスプリアンブルを受信する。ステップ１６０４において、方法は、関連付けに基づいて１つまたは複数のＤＬ  ＢＷＰを選択することを含み、関連付けは、物理ランダムアクセス設定に関係するパラメータの異なる値におよび／またはキャリアの異なるＵＬ  ＢＷＰにキャリアの複数のＤＬ  ＢＷＰをマッピングする。ステップ１６０６において、方法は、１つまたは複数のＤＬ  ＢＷＰの各々中のリソースを使用してそれぞれのランダムアクセス応答メッセージを送信することを含む。
【０１４５】
図１７は、いくつかの実施形態による仮想化装置を示す。
【０１４６】
図１７は、無線ネットワーク（たとえば、図６に示されている無線ネットワーク）における装置１７００の概略ブロック図を示す。装置は、無線デバイスまたはネットワークノード（たとえば、図６に示されている無線デバイス６１０またはネットワークノード６６０）において実装され得る。装置１７００は、図１５に関して説明された例示的な方法、および、場合によっては、本明細書で開示される任意の他のプロセスまたは方法を行うように動作可能である。また、図１５の方法は、必ずしも装置１７００のみによって行われるとは限らないことを理解されたい。その方法の少なくともいくつかの動作は、１つまたは複数の他のエンティティによって実施され得る。
【０１４７】
仮想装置１７００は、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを備え得る。処理回路要素は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、いくつかの実施形態では、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、選択ユニット１７０２および監視ユニット１７０４、ならびに装置１７００の任意の他の好適なユニットに、本開示の１つまたは複数の実施形態による、対応する機能を実施させるために使用され得る。
【０１４８】
図１７に示されているように、装置１７００は、選択ユニット１７０２と監視ユニット１７０４とを含む。選択ユニット１７０２は、キャリアのアップリンク（ＵＬ）帯域幅部分（ＢＷＰ）中の第１のランダムアクセスリソースを使用して基地局に第１のランダムアクセスプリアンブルを送信したことに応答して、関連付けに基づいてキャリアの第１のダウンリンク（ＤＬ）ＢＷＰを選択するように設定される。監視ユニット１７０４は、基地局からランダムアクセス応答を受信するために第１のＤＬ  ＢＷＰを監視するように設定される。
【０１４９】
図１８は、いくつかの実施形態による仮想化装置を示す。
【０１５０】
図１８は、無線ネットワーク（たとえば、図６に示されている無線ネットワーク）における装置１８００の概略ブロック図を示す。装置は、無線デバイスまたはネットワークノード（たとえば、図６に示されている無線デバイス６１０またはネットワークノード６６０）において実装され得る。装置１８００は、図１６に関して説明された例示的な方法、および、場合によっては、本明細書で開示される任意の他のプロセスまたは方法を行うように動作可能である。また、図１６の方法は、必ずしも装置１８００のみによって行われるとは限らないことを理解されたい。その方法の少なくともいくつかの動作は、１つまたは複数の他のエンティティによって実施され得る。
【０１５１】
仮想装置１８００は、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを備え得る。処理回路要素は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、いくつかの実施形態では、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、選択ユニット１８０２および監視ユニット１８０４、ならびに装置１８００の任意の他の好適なユニットに、本開示の１つまたは複数の実施形態による、対応する機能を実施させるために使用され得る。
【０１５２】
図１８に示されているように、装置１８００は、受信ユニット１８０２と、選択ユニット１８０４と、送信ユニット１８０６とを含む。受信ユニット１８０２は、第１のランダムアクセスリソース上で無線デバイスから第１のランダムアクセスプリアンブルを受信するように設定される。選択ユニット１８０４は、関連付けに基づいて１つまたは複数のＤＬ  ＢＷＰを選択するように設定され、関連付けは、物理ランダムアクセス設定に関係するパラメータの異なる値におよび／またはキャリアの異なるＵＬ  ＢＷＰにキャリアの複数のＤＬ  ＢＷＰをマッピングする。送信ユニット１８０６は、１つまたは複数のＤＬ  ＢＷＰの各々中のリソースを使用してそれぞれのランダムアクセス応答メッセージを送信するように設定される。
【０１５３】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能を行うための、電気および／または電子回路要素、デバイス、モジュール、プロセッサ、メモリ、論理固体および／または個別デバイス、コンピュータプログラムまたは命令などを含み得る。
【０１５４】
したがって、本明細書の実施形態による、ランダムアクセスプロシージャを提供するための方法および装置が提供される。特に、本明細書で提供される方法および装置は、ＵＬ  ＢＷＰおよびＤＬ  ＢＷＰが設定された無線デバイスとともに使用するためのものである。
【０１５５】
実施形態
【０１５６】
グループＡの実施形態
１．  無線通信ネットワークにアクセスするためのランダムアクセスプロシージャを実施するための、無線デバイスによって実施される方法であって、方法は、
−  キャリアのアップリンク（ＵＬ）帯域幅部分（ＢＷＰ）中の第１のランダムアクセスリソースを使用して基地局に第１のランダムアクセスプリアンブルを送信したことに応答して、
ｉ．  関連付けに基づいてキャリアの第１のダウンリンク（ＤＬ）ＢＷＰを選択することであって、関連付けが、物理ランダムアクセス設定に関係するパラメータの異なる値におよび／またはキャリアの異なるＵＬ  ＢＷＰにキャリアの複数のＤＬ  ＢＷＰをマッピングする、キャリアの第１のダウンリンク（ＤＬ）ＢＷＰを選択することと、
ｉｉ．  基地局からランダムアクセス応答を受信するために第１のＤＬ  ＢＷＰを監視することと
を含む、方法。
２．  パラメータが、物理ランダムアクセスチャネル設定のインデックスを含み、方法が、
ランダムアクセスプリアンブルを送信するために使用される第１の物理ランダムアクセスチャネル設定の第１のインデックスを決定することと、
関連付けにおいて第１のインデックスにマッピングされた１つまたは複数のＤＬ  ＢＷＰから第１のＤＬ  ＢＷＰを選択することと
をさらに含む、実施形態１に記載の方法。
３．  パラメータが、ランダムアクセスプリアンブルのセットの指示を含み、方法が、
関連付けにおいて第１のランダムアクセスプリアンブルにマッピングされた１つまたは複数のＤＬ  ＢＷＰから第１のＤＬ  ＢＷＰを選択すること
をさらに含む、実施形態１に記載の方法。
４．  パラメータが、ランダムアクセスリソースのセットの指示を含み、方法が、
関連付けにおいて第１のランダムアクセスリソースにマッピングされた１つまたは複数のＤＬ  ＢＷＰから第１のＤＬ  ＢＷＰを選択すること
をさらに含む、実施形態１１に記載の方法。
５．  所定の時間期間の間第１のＤＬ  ＢＷＰを監視することと、
所定の時間期間が経過したことに応答して、データ受信のためにアクティブＤＬ  ＢＷＰを監視することに切り替えることと
をさらに含む、実施形態１から４のいずれか１つに記載の方法。
６．  基地局からランダムアクセス応答を受信するために第１のＤＬ  ＢＷＰを監視し、同時にデータ受信のためにアクティブＤＬ  ＢＷＰを監視することをさらに含む、実施形態１から４のいずれか１つに記載の方法。
７．  第１のＢＷＰとアクティブＤＬ  ＢＷＰとが同じである、実施形態６に記載の方法。
８．  選択するステップは、
１つまたは複数のＤＬ  ＢＷＰが、無線デバイスがデータ受信のために監視するように設定されたアクティブＤＬ  ＢＷＰを含むことに応答して、アクティブＤＬ  ＢＷＰを第１のＤＬ  ＢＷＰとして選択すること
を含む、実施形態１から７のいずれか１つに記載の方法。
９．  選択するステップが、
無線デバイスに関連付けられた帯域幅能力に基づいて第１のＤＬ  ＢＷＰを選択すること
を含む、実施形態１から７のいずれか１つに記載の方法。
１０．  所定の時間期間の間第１のＤＬ  ＢＷＰを監視することと、
所定の時間期間が経過したことに応答して、関連付けに基づいて第２のＤＬ  ＢＷＰを選択し、第２のＤＬ  ＢＷＰを監視することと
をさらに含む、実施形態１から９のいずれか１つに記載の方法。
１１．
−  ユーザデータを提供することと、
−  基地局への送信を介してホストコンピュータにユーザデータをフォワーディングすることと
をさらに含む、実施形態１から１０のいずれか１つに記載の方法。
【０１５７】
グループＢの実施形態
１２．  ランダムアクセスプロシージャを実施するための、基地局によって実施される方法であって、方法は、
第１のランダムアクセスリソース上で無線デバイスから第１のランダムアクセスプリアンブルを受信することと、
関連付けに基づいて１つまたは複数のＤＬ  ＢＷＰを選択することであって、関連付けが、物理ランダムアクセス設定に関係するパラメータの異なる値におよび／またはキャリアの異なるＵＬ  ＢＷＰにキャリアの複数のＤＬ  ＢＷＰをマッピングする、１つまたは複数のＤＬ  ＢＷＰを選択することと、
１つまたは複数のＤＬ  ＢＷＰの各々中のリソースを使用してそれぞれのランダムアクセス応答メッセージを送信することと
を含む、方法。
１３．  パラメータが、物理ランダムアクセスチャネル設定のインデックスを含み、方法が、
ランダムアクセスプリアンブルを送信するために使用される第１の物理ランダムアクセスチャネル設定の第１のインデックスを決定することと、
関連付けにおいて第１のインデックスにマッピングされた１つまたは複数のＤＬ  ＢＷＰを選択することと
をさらに含む、実施形態１２に記載の方法。
１４．  パラメータが、ランダムアクセスプリアンブルのセットの指示を含み、方法が、
関連付けにおいて第１のランダムアクセスプリアンブルにマッピングされた１つまたは複数のＤＬ  ＢＷＰを選択すること
をさらに含む、実施形態１２に記載の方法。
１５．  パラメータが、ランダムアクセスリソースのセットの指示を含み、方法が、
関連付けにおいて第１のランダムアクセスリソースにマッピングされた１つまたは複数のＤＬ  ＢＷＰを選択すること
をさらに含む、実施形態１２に記載の方法。
１６．  関連付けが、１つまたは複数のＤＬ  ＢＷＰをＵＬ  ＢＷＰにリンクし、選択するステップは、
ビームフォーミングベースの受信を使用して、無線デバイスが、ランダムアクセスプリアンブルを送信するときに使用した第１のＵＬ  ＢＷＰを決定することと、
関連付けが第１のＵＬ  ＢＷＰにリンクする１つまたは複数のＤＬ  ＢＷＰを選択することと
を含む、実施形態１２に記載の方法。
１７．  各それぞれのランダムアクセス応答メッセージが、ランダムアクセスリソースを含む１つまたは複数のＵＬ  ＢＷＰの各々についてアップリンクリソースのそれぞれのセットを指示する、実施形態１１から１４のいずれか１つに記載の方法。
１８．  各それぞれのランダムアクセス応答メッセージが、１つまたは複数のＵＬ  ＢＷＰのうちの１つについてアップリンクリソースのセットを各々指示する複数のランダムアクセス応答を含む、実施形態１６に記載の方法。
１９．
−  ユーザデータを取得することと、
−  ユーザデータをホストコンピュータまたは無線デバイスにフォワーディングすることと
をさらに含む、実施形態１２から１８のいずれか１つに記載の方法。
【０１５８】
グループＣの実施形態
２０．  基地局から更新されたシステム情報（ＳＩ）を受信するための無線デバイスであって、無線デバイスが、
−  グループＡの実施形態のいずれか１つに記載のステップのいずれかを実施するように設定された処理回路要素と、
−  無線デバイスに電力を供給するように設定された電力供給回路要素と
を備える、無線デバイス。
２１．  無線デバイスに更新されたシステム情報（ＳＩ）を送信するための基地局であって、基地局が、
−  グループＢの実施形態のいずれか１つに記載のステップのいずれかを実施するように設定された処理回路要素と、
−  基地局に電力を供給するように設定された電力供給回路要素と
を備える、基地局。
２２．  基地局から更新されたシステム情報（ＳＩ）を受信するためのユーザ機器（ＵＥ）であって、ＵＥが、
−  無線信号を送り、受信するように設定されたアンテナと、
−  アンテナおよび処理回路要素に接続され、アンテナと処理回路要素との間で通信される信号を調節するように設定された、無線フロントエンド回路要素であって、
−  処理回路要素が、グループＡの実施形態のいずれか１つに記載のステップのいずれかを実施するように設定された、
無線フロントエンド回路要素と、
−  処理回路要素に接続され、ＵＥへの情報の入力が処理回路要素によって処理されることを可能にするように設定された、入力インターフェースと、
−  処理回路要素に接続され、処理回路要素によって処理されたＵＥからの情報を出力するように設定された、出力インターフェースと、
−  処理回路要素に接続され、ＵＥに電力を供給するように設定された、バッテリーと
を備える、ユーザ機器（ＵＥ）。
２３．  ホストコンピュータを含む通信システムであって、
−  ユーザデータを提供するように設定された処理回路要素と、
−  ユーザ機器（ＵＥ）への送信のためにユーザデータをセルラーネットワークにフォワーディングするように設定された通信インターフェースと
を備え、
−  セルラーネットワークが、無線インターフェースと処理回路要素とを有する基地局を備え、基地局の処理回路要素が、グループＢの実施形態のいずれか１つに記載のステップのいずれかを実施するように設定された、通信システム。
２４．  基地局をさらに含む、実施形態２３に記載の通信システム。
２５．  ＵＥをさらに含み、ＵＥが基地局と通信するように設定された、実施形態２３または２４に記載の通信システム。
２６．
−  ホストコンピュータの処理回路要素が、ホストアプリケーションを実行し、それによりユーザデータを提供するように設定され、
−  ＵＥが、ホストアプリケーションに関連付けられたクライアントアプリケーションを実行するように設定された処理回路要素を備える、
実施形態２３から２５のいずれか１つに記載の通信システム。
２７．  ホストコンピュータと、基地局と、ユーザ機器（ＵＥ）とを含む通信システムにおいて実装される方法であって、方法が、
−  ホストコンピュータにおいて、ユーザデータを提供することと、
−  ホストコンピュータにおいて、基地局を備えるセルラーネットワークを介してＵＥにユーザデータを搬送する送信を始動することであって、基地局が、グループＢの実施形態のいずれか１つに記載のステップのいずれかを実施する、送信を始動することと
を含む、方法。
２８．  基地局においてユーザデータを送信することをさらに含む、実施形態２７に記載の方法。
２９．  ユーザデータが、ホストコンピュータにおいて、ホストアプリケーションを実行することによって提供され、方法が、ＵＥにおいて、ホストアプリケーションに関連付けられたクライアントアプリケーションを実行することをさらに含む、実施形態２７または２８に記載の方法。
３０．  基地局と通信するように設定されたユーザ機器（ＵＥ）であって、ＵＥが、実施形態２７から２９のいずれか１つを実施するように設定された、無線インターフェースと処理回路要素とを備える、ユーザ機器（ＵＥ）。
３１．  ホストコンピュータを含む通信システムであって、
−  ユーザデータを提供するように設定された処理回路要素と、
−  ユーザ機器（ＵＥ）への送信のためにユーザデータをセルラーネットワークにフォワーディングするように設定された通信インターフェースと
を備え、
−  ＵＥが無線インターフェースと処理回路要素とを備え、ＵＥの構成要素が、グループＡの実施形態のいずれか１つに記載のステップのいずれかを実施するように設定された、通信システム。
３２．  セルラーネットワークが、ＵＥと通信するように設定された基地局をさらに含む、実施形態３１に記載の通信システム。
３３．
−  ホストコンピュータの処理回路要素が、ホストアプリケーションを実行し、それによりユーザデータを提供するように設定され、
−  ＵＥの処理回路要素が、ホストアプリケーションに関連付けられたクライアントアプリケーションを実行するように設定された、
実施形態３１または３２に記載の通信システム。
３４．  ホストコンピュータと、基地局と、ユーザ機器（ＵＥ）とを含む通信システムにおいて実装される方法であって、方法が、
−  ホストコンピュータにおいて、ユーザデータを提供することと、
−  ホストコンピュータにおいて、基地局を備えるセルラーネットワークを介してＵＥにユーザデータを搬送する送信を始動することであって、ＵＥが、グループＡの実施形態のいずれか１つに記載のステップのいずれかを実施する、送信を始動することと
を含む、方法。
３５．  ＵＥにおいて、基地局からユーザデータを受信することをさらに含む、実施形態３４に記載の方法。
３６．  ホストコンピュータを含む通信システムであって、
−  ユーザ機器（ＵＥ）から基地局への送信から発生したユーザデータを受信するように設定された通信インターフェース
を備え、
−  ＵＥが無線インターフェースと処理回路要素とを備え、ＵＥの処理回路要素が、グループＡの実施形態のいずれか１つに記載のステップのいずれかを実施するように設定された、通信システム。
３７．  ＵＥをさらに含む、実施形態３６に記載の通信システム。
３８．  基地局をさらに含み、基地局が、ＵＥと通信するように設定された無線インターフェースと、ＵＥから基地局への送信によって搬送されたユーザデータをホストコンピュータにフォワーディングするように設定された通信インターフェースとを備える、実施形態３６または３７に記載の通信システム。
３９．
−  ホストコンピュータの処理回路要素が、ホストアプリケーションを実行するように設定され、
−  ＵＥの処理回路要素が、ホストアプリケーションに関連付けられたクライアントアプリケーションを実行し、それによりユーザデータを提供するように設定された、
実施形態３６から３８のいずれか１つに記載の通信システム。
４０．
−  ホストコンピュータの処理回路要素が、ホストアプリケーションを実行し、それにより要求データを提供するように設定され、
−  ＵＥの処理回路要素が、ホストアプリケーションに関連付けられたクライアントアプリケーションを実行し、それにより要求データに応答してユーザデータを提供するように設定された、
実施形態３６から３９のいずれか１つに記載の通信システム。
４１．  ホストコンピュータと、基地局と、ユーザ機器（ＵＥ）とを含む通信システムにおいて実装される方法であって、方法が、
−  ホストコンピュータにおいて、ＵＥから基地局に送信されたユーザデータを受信することであって、ＵＥが、グループＡの実施形態のいずれか１つに記載のステップのいずれかを実施する、ユーザデータを受信すること
を含む、方法。
４２．  ＵＥにおいて、基地局にユーザデータを提供することをさらに含む、実施形態４１に記載の方法。
４３．
−  ＵＥにおいて、クライアントアプリケーションを実行し、それにより送信されるべきユーザデータを提供することと、
−  ホストコンピュータにおいて、クライアントアプリケーションに関連付けられたホストアプリケーションを実行することと
をさらに含む、実施形態４１または４２に記載の方法。
４４．
−  ＵＥにおいて、クライアントアプリケーションを実行することと、
−  ＵＥにおいて、クライアントアプリケーションへの入力データを受信することであって、入力データが、クライアントアプリケーションに関連付けられたホストアプリケーションを実行することによってホストコンピュータにおいて提供される、入力データを受信することと
をさらに含み、
−  送信されるべきユーザデータが、入力データに応答してクライアントアプリケーションによって提供される、実施形態４１から４３のいずれか１つに記載の方法。
４５．  ホストコンピュータを含む通信システムであって、ホストコンピュータが、ユーザ機器（ＵＥ）から基地局への送信から発生したユーザデータを受信するように設定された通信インターフェースを備え、基地局が、無線インターフェースと処理回路要素とを備え、基地局の処理回路要素が、グループＢの実施形態のいずれか１つに記載のステップのいずれかを実施するように設定された、通信システム。
４６．  基地局をさらに含む、実施形態４５に記載の通信システム。
４７．  ＵＥをさらに含み、ＵＥが基地局と通信するように設定された、実施形態４５または４６に記載の通信システム。
４８．
−  ホストコンピュータの処理回路要素が、ホストアプリケーションを実行するように設定され、
−  ＵＥが、ホストアプリケーションに関連付けられたクライアントアプリケーションを実行し、それによりホストコンピュータによって受信されるべきユーザデータを提供するように設定された、
実施形態４５から４７のいずれか１つに記載の通信システム。
４９．  ホストコンピュータと、基地局と、ユーザ機器（ＵＥ）とを含む通信システムにおいて実装される方法であって、方法が、
−  ホストコンピュータにおいて、基地局から、基地局がＵＥから受信した送信から発生したユーザデータを受信することであって、ＵＥが、グループＡの実施形態のいずれか１つに記載のステップのいずれかを実施する、ユーザデータを受信すること
を含む、方法。
５０．  基地局において、ＵＥからユーザデータを受信することをさらに含む、実施形態４９に記載の方法。
５１．  基地局において、ホストコンピュータへの、受信されたユーザデータの送信を始動することをさらに含む、実施形態４９または５０に記載の方法。
【０１５９】
略語
以下の略語のうちの少なくともいくつかが本開示で使用され得る。略語間の不整合がある場合、その略語が上記でどのように使用されるかが選好されるべきである。以下で複数回リストされる場合、最初のリスティングが（１つまたは複数の）後続のリスティングよりも選好されるべきである。
１ｘ  ＲＴＴ    ＣＤＭＡ２０００  １ｘ無線送信技術
３ＧＰＰ    第３世代パートナーシッププロジェクト
５Ｇ    第５世代
ＡＢＳ    オールモストブランクサブフレーム
ＡＲＱ    自動再送要求
ＡＷＧＮ    加法性白色ガウス雑音
ＢＣＣＨ    ブロードキャスト制御チャネル
ＢＣＨ    ブロードキャストチャネル
ＣＡ    キャリアアグリゲーション
ＣＣ    キャリアコンポーネント
ＣＣＣＨ  ＳＤＵ    共通制御チャネルＳＤＵ
ＣＤＭＡ    符号分割多重化アクセス
ＣＧＩ    セルグローバル識別子
ＣＩＲ    チャネルインパルス応答
ＣＰ    サイクリックプレフィックス
ＣＰＩＣＨ    共通パイロットチャネル
ＣＰＩＣＨ  Ｅｃ／Ｎｏ    帯域中の電力密度で除算されたチップごとのＣＰＩＣＨ受信エネルギー
ＣＱＩ    チャネル品質情報
Ｃ−ＲＮＴＩ    セルＲＮＴＩ
ＣＳＩ    チャネル状態情報
ＤＣＣＨ    専用制御チャネル
ＤＬ    ダウンリンク
ＤＭ    復調
ＤＭＲＳ    復調用参照信号
ＤＲＸ    間欠受信
ＤＴＸ    間欠送信
ＤＴＣＨ    専用トラフィックチャネル
ＤＵＴ    被試験デバイス
Ｅ−ＣＩＤ    拡張セルＩＤ（測位方法）
Ｅ−ＳＭＬＣ    エボルブドサービングモバイルロケーションセンター
ＥＣＧＩ    エボルブドＣＧＩ
ｅＮＢ    Ｅ−ＵＴＲＡＮノードＢ
ｅＰＤＣＣＨ    拡張物理ダウンリンク制御チャネル
Ｅ−ＳＭＬＣ    エボルブドサービングモバイルロケーションセンター
Ｅ−ＵＴＲＡ    エボルブドＵＴＲＡ
Ｅ−ＵＴＲＡＮ    エボルブドＵＴＲＡＮ
ＦＤＤ    周波数分割複信
ＦＦＳ    さらなる検討が必要
ＧＥＲＡＮ    ＧＳＭ  ＥＤＧＥ無線アクセスネットワーク
ｇＮＢ    ＮＲにおける基地局
ＧＮＳＳ    グローバルナビゲーション衛星システム
ＧＳＭ    モバイル通信用グローバルシステム
ＨＡＲＱ    ハイブリッド自動再送要求
ＨＯ    ハンドオーバ
ＨＳＰＡ    高速パケットアクセス
ＨＲＰＤ    高速パケットデータ
ＬＯＳ    見通し線
ＬＰＰ    ＬＴＥ測位プロトコル
ＬＴＥ    Ｌｏｎｇ−Ｔｅｒｍ  Ｅｖｏｌｕｔｉｏｎ
ＭＡＣ    媒体アクセス制御
ＭＢＭＳ    マルチメディアブロードキャストマルチキャストサービス
ＭＢＳＦＮ    マルチメディアブロードキャストマルチキャストサービス単一周波数ネットワーク
ＭＢＳＦＮ  ＡＢＳ    ＭＢＳＦＮオールモストブランクサブフレーム
ＭＤＴ    ドライブテスト最小化
ＭＩＢ    マスタ情報ブロック
ＭＭＥ    モビリティ管理エンティティ
ＭＳＣ    モバイルスイッチングセンター
ＮＰＤＣＣＨ    狭帯域物理ダウンリンク制御チャネル
ＮＲ    新無線
ＯＣＮＧ    ＯＦＤＭＡチャネル雑音生成器
ＯＦＤＭ    直交周波数分割多重
ＯＦＤＭＡ    直交周波数分割多元接続
ＯＳＳ    運用サポートシステム
ＯＴＤＯＡ    観測到達時間差
Ｏ＆Ｍ    運用および保守
ＰＢＣＨ    物理ブロードキャストチャネル
Ｐ−ＣＣＰＣＨ    １次共通制御物理チャネル
ＰＣｅｌｌ    １次セル
ＰＣＦＩＣＨ    物理制御フォーマットインジケータチャネル
ＰＤＣＣＨ    物理ダウンリンク制御チャネル
ＰＤＰ    プロファイル遅延プロファイル
ＰＤＳＣＨ    物理ダウンリンク共有チャネル
ＰＧＷ    パケットゲートウェイ
ＰＨＩＣＨ    物理ハイブリッドＡＲＱ指示チャネル
ＰＬＭＮ    パブリックランドモバイルネットワーク
ＰＭＩ    プリコーダ行列インジケータ
ＰＲＡＣＨ    物理ランダムアクセスチャネル
ＰＲＳ    測位参照信号
ＰＳＳ    １次同期信号
ＰＵＣＣＨ    物理アップリンク制御チャネル
ＰＵＳＣＨ    物理アップリンク共有チャネル
ＲＡＣＨ    ランダムアクセスチャネル
ＱＡＭ    直交振幅変調
ＲＡＮ    無線アクセスネットワーク
ＲＡＴ    無線アクセス技術
ＲＬＭ    無線リンク管理
ＲＮＣ    無線ネットワークコントローラ
ＲＮＴＩ    無線ネットワーク一時識別子
ＲＲＣ    無線リソース制御
ＲＲＭ    無線リソース管理
ＲＳ    参照信号
ＲＳＣＰ    受信信号コード電力
ＲＳＲＰ    参照シンボル受信電力または
参照信号受信電力
ＲＳＲＱ    参照信号受信品質または
参照シンボル受信品質
ＲＳＳＩ    受信信号強度インジケータ
ＲＳＴＤ    参照信号時間差
ＳＣＨ    同期チャネル
ＳＣｅｌｌ    ２次セル
ＳＤＵ    サービスデータユニット
ＳＦＮ    システムフレーム番号
ＳＧＷ    サービングゲートウェイ
ＳＩ    システム情報
ＳＩＢ    システム情報ブロック
ＳＮＲ    信号対雑音比
ＳＯＮ    自己最適化ネットワーク
ＳＳ    同期信号
ＳＳＳ    ２次同期信号
ＴＤＤ    時分割複信
ＴＤＯＡ    到達時間差
ＴＯＡ    到達時間
ＴＳＳ    ３次同期信号
ＴＴＩ    送信時間間隔
ＵＥ    ユーザ機器
ＵＬ    アップリンク
ＵＭＴＳ    Ｕｎｉｖｅｒｓａｌ  Ｍｏｂｉｌｅ  Ｔｅｌｅｃｏｍｍｕｎｉｃａｔｉｏｎ  Ｓｙｓｔｅｍ
ＵＳＩＭ    ユニバーサル加入者識別モジュール
ＵＴＤＯＡ    アップリンク到達時間差
ＵＴＲＡ    ユニバーサル地上無線アクセス
ＵＴＲＡＮ    ユニバーサル地上無線アクセスネットワーク
ＷＣＤＭＡ    ワイドＣＤＭＡ
ＷＬＡＮ    ワイドローカルエリアネットワーク
【図１】
2021514582.tif 000003
【図２】
2021514582.tif 000004
【図３】
2021514582.tif 000005
【図４】
2021514582.tif 000006
【図５】
2021514582.tif 000007
【図６】
2021514582.tif 000008
【図７】
2021514582.tif 000009
【図８】
2021514582.tif 000010
【図９】
2021514582.tif 000011
【図１０】
2021514582.tif 000012
【図１１】
2021514582.tif 000013
【図１２】
2021514582.tif 000014
【図１３】
2021514582.tif 000015
【図１４】
2021514582.tif 000016
【図１５】
2021514582.tif 000017
【図１６】
2021514582.tif 000018
【図１７】
2021514582.tif 000019
【図１８】
2021514582.tif 000020
【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
無線通信ネットワークにアクセスするためのランダムアクセスプロシージャを実施するための、無線デバイスによって実施される方法であって、前記方法は、
−  キャリアのアップリンク（ＵＬ）帯域幅部分（ＢＷＰ）中の第１のランダムアクセスリソースを使用して基地局に第１のランダムアクセスプリアンブルを送信したことに応答して、
ｉ．  関連付けに基づいて前記キャリアの第１のダウンリンク（ＤＬ）ＢＷＰを選択することであって、前記関連付けが、物理ランダムアクセス設定に関係するパラメータの異なる値に、かつ／または、前記キャリアの異なるＵＬ  ＢＷＰに、前記キャリアの複数のＤＬ  ＢＷＰをマッピングする、前記キャリアの第１のＤＬ  ＢＷＰを選択することと、
ｉｉ．  前記基地局からランダムアクセス応答を受信するために前記第１のＤＬ  ＢＷＰを監視することと
を含む、方法。
【請求項２】
前記パラメータが、物理ランダムアクセスチャネル設定のインデックスを含み、前記方法が、
前記ランダムアクセスプリアンブルを送信するために使用される第１の物理ランダムアクセスチャネル設定の第１のインデックスを決定することと、
前記関連付けにおいて前記第１のインデックスにマッピングされた１つまたは複数のＤＬ  ＢＷＰから前記第１のＤＬ  ＢＷＰを選択することと
をさらに含む、請求項１に記載の方法。
【請求項３】
前記パラメータが、ランダムアクセスプリアンブルのセットの指示を含み、前記方法が、
前記関連付けにおいて前記第１のランダムアクセスプリアンブルにマッピングされた１つまたは複数のＤＬ  ＢＷＰから前記第１のＤＬ  ＢＷＰを選択すること
をさらに含む、請求項１に記載の方法。
【請求項４】
前記パラメータが、ランダムアクセスリソースのセットの指示を含み、前記方法が、
前記関連付けにおいて前記第１のランダムアクセスリソースにマッピングされた１つまたは複数のＤＬ  ＢＷＰから前記第１のＤＬ  ＢＷＰを選択すること
をさらに含む、請求項１に記載の方法。
【請求項５】
所定の時間期間の間、前記第１のＤＬ  ＢＷＰを監視することと、
前記所定の時間期間が経過したことに応答して、データ受信のためにアクティブＤＬ  ＢＷＰを監視することに切り替えることと
をさらに含む、請求項１から４のいずれか一項に記載の方法。
【請求項６】
前記基地局からランダムアクセス応答を受信するために前記第１のＤＬ  ＢＷＰを監視し、同時にデータ受信のためにアクティブＤＬ  ＢＷＰを監視することをさらに含む、請求項１から４のいずれか一項に記載の方法。
【請求項７】
前記第１のＤＬ  ＢＷＰと前記アクティブＤＬ  ＢＷＰとが同じである、請求項６に記載の方法。
【請求項８】
前記選択するステップは、
前記１つまたは複数のＤＬ  ＢＷＰが、前記無線デバイスがデータ受信のために監視するように設定されたアクティブＤＬ  ＢＷＰを含むことに応答して、前記アクティブＤＬ  ＢＷＰを前記第１のＤＬ  ＢＷＰとして選択すること
を含む、請求項１から７のいずれか一項に記載の方法。
【請求項９】
前記選択するステップが、
前記無線デバイスに関連付けられた帯域幅能力に基づいて前記第１のＤＬ  ＢＷＰを選択すること
を含む、請求項１から７のいずれか一項に記載の方法。
【請求項１０】
所定の時間期間の間、前記第１のＤＬ  ＢＷＰを監視することと、
前記所定の時間期間が経過したことに応答して、前記関連付けに基づいて第２のＤＬ  ＢＷＰを選択し、前記第２のＤＬ  ＢＷＰを監視することと
をさらに含む、請求項１から９のいずれか一項に記載の方法。
【請求項１１】
ランダムアクセスプロシージャを実施するための、基地局によって実施される方法であって、前記方法は、
第１のランダムアクセスリソース上で無線デバイスから第１のランダムアクセスプリアンブルを受信することと、
関連付けに基づいて１つまたは複数のＤＬ  ＢＷＰを選択することであって、前記関連付けが、物理ランダムアクセス設定に関係するパラメータの異なる値に、かつ／または、キャリアの異なるＵＬ  ＢＷＰに、前記キャリアの複数のＤＬ  ＢＷＰをマッピングする、１つまたは複数のＤＬ  ＢＷＰを選択することと、
前記１つまたは複数のＤＬ  ＢＷＰの各々中のリソースを使用してそれぞれのランダムアクセス応答メッセージを送信することと
を含む、方法。
【請求項１２】
前記パラメータが、物理ランダムアクセスチャネル設定のインデックスを含み、前記方法が、
前記ランダムアクセスプリアンブルを送信するために使用される第１の物理ランダムアクセスチャネル設定の第１のインデックスを決定することと、
前記関連付けにおいて前記第１のインデックスにマッピングされた１つまたは複数のＤＬ  ＢＷＰを選択することと
をさらに含む、請求項１１に記載の方法。
【請求項１３】
前記パラメータが、ランダムアクセスプリアンブルのセットの指示を含み、前記方法が、
前記関連付けにおいて前記第１のランダムアクセスプリアンブルにマッピングされた前記１つまたは複数のＤＬ  ＢＷＰを選択すること
をさらに含む、請求項１１に記載の方法。
【請求項１４】
無線通信ネットワークにアクセスするためのランダムアクセスプロシージャを実施するための無線デバイスであって、前記無線デバイスは、
−  キャリアのアップリンク（ＵＬ）帯域幅部分（ＢＷＰ）中の第１のランダムアクセスリソースを使用して基地局に第１のランダムアクセスプリアンブルを送信したことに応答して、
ｉ．  関連付けに基づいて前記キャリアの第１のダウンリンク（ＤＬ）ＢＷＰを選択することであって、前記関連付けが、物理ランダムアクセス設定に関係するパラメータの異なる値に、かつ／または、前記キャリアの異なるＵＬ  ＢＷＰに、前記キャリアの複数のＤＬ  ＢＷＰをマッピングする、前記キャリアの第１ＤＬ  ＢＷＰを選択することと、
ｉｉ．  前記基地局からランダムアクセス応答を受信するために前記第１のＤＬ  ＢＷＰを監視することと
を行うように設定された処理回路要素を備える、無線デバイス。
【請求項１５】
前記パラメータが、物理ランダムアクセスチャネル設定のインデックスを含み、前記処理回路要素が、
前記ランダムアクセスプリアンブルを送信するために使用される第１の物理ランダムアクセスチャネル設定の第１のインデックスを決定することと、
前記関連付けにおいて前記第１のインデックスにマッピングされた１つまたは複数のＤＬ  ＢＷＰから前記第１のＤＬ  ＢＷＰを選択することと
を行うようにさらに設定された、請求項１４に記載の無線デバイス。
【請求項１６】
前記パラメータが、ランダムアクセスプリアンブルのセットの指示を含み、前記処理回路要素が、
前記関連付けにおいて前記第１のランダムアクセスプリアンブルにマッピングされた１つまたは複数のＤＬ  ＢＷＰから前記第１のＤＬ  ＢＷＰを選択すること
を行うようにさらに設定された、請求項１４に記載の無線デバイス。
【請求項１７】
前記パラメータが、ランダムアクセスリソースのセットの指示を含み、前記処理回路要素が、
前記関連付けにおいて前記第１のランダムアクセスリソースにマッピングされた１つまたは複数のＤＬ  ＢＷＰから前記第１のＤＬ  ＢＷＰを選択すること
を行うようにさらに設定された、請求項１４に記載の無線デバイス。
【請求項１８】
前記処理回路要素は、
所定の時間期間の間、前記第１のＤＬ  ＢＷＰを監視することと、
前記所定の時間期間が経過したことに応答して、データ受信のためにアクティブＤＬ  ＢＷＰを監視することに切り替えることと
を行うようにさらに設定された、請求項１４から１７のいずれか一項に記載の無線デバイス。
【請求項１９】
前記処理回路要素が、前記基地局からランダムアクセス応答を受信するために前記第１のＤＬ  ＢＷＰを監視し、同時にデータ受信のためにアクティブＤＬ  ＢＷＰを監視することを行うようにさらに設定された、請求項１４から１６のいずれか一項に記載の無線デバイス。
【請求項２０】
ランダムアクセスプロシージャを実施するための基地局であって、前記基地局は、
第１のランダムアクセスリソース上で無線デバイスから第１のランダムアクセスプリアンブルを受信することと、
関連付けに基づいて１つまたは複数のＤＬ  ＢＷＰを選択することであって、前記関連付けが、物理ランダムアクセス設定に関係するパラメータの異なる値にかつ／またはキャリアの異なるＵＬ  ＢＷＰに前記キャリアの複数のＤＬ  ＢＷＰをマッピングする、１つまたは複数のＤＬ  ＢＷＰを選択することと、
前記１つまたは複数のＤＬ  ＢＷＰの各々中のリソースを使用してそれぞれのランダムアクセス応答メッセージを送信することと
を行うように設定された処理回路要素を備える、基地局。
【請求項２１】
前記パラメータが、物理ランダムアクセスチャネル設定のインデックスを含み、前記処理回路要素が、
前記ランダムアクセスプリアンブルを送信するために使用される第１の物理ランダムアクセスチャネル設定の第１のインデックスを決定することと、
前記関連付けにおいて前記第１のインデックスにマッピングされた１つまたは複数のＤＬ  ＢＷＰを選択することと
を行うようにさらに設定された、請求項２０に記載の基地局。
【請求項２２】
前記パラメータが、ランダムアクセスプリアンブルのセットの指示を含み、前記処理回路要素が、
前記関連付けにおいて前記第１のランダムアクセスプリアンブルにマッピングされた前記１つまたは複数のＤＬ  ＢＷＰを選択すること
を行うようにさらに設定された、請求項２０に記載の基地局。
【国際調査報告】
2021514582.tif 000021
2021514582.tif 000022